(57)【特許請求の範囲】
【請求項１】
水槽の状態を表示するための表示方法であって、
前記水槽は、ポンプの搬送液を貯水し、当該水槽の水槽方式と水位とに基づいた水槽水位制御が前記ポンプを備えたポンプ装置によって行われ、
前記表示方法は、
前記水槽方式を取得するステップと、
前記水槽の水位を取得するステップと、
前記取得した前記水槽方式に対応する水槽方式グラフィックを水槽方式グラフィック群の中から選択するステップと、を有し、
前記選択した水槽方式グラフィックと、
前記取得した前記水槽の水位を示すための水位表示と、
を併せて表示する
表示方法。
【請求項２】
前記水位表示は、前記水槽の水面を模した水位グラフィックを含む、請求項１に記載の表示方法。
【請求項３】
前記ポンプ装置は、
前記水槽方式に基づいた少なくともひとつの水位レベルを前記水槽の水位の閾値とし、前記水槽の水位を計測する水位計から取得した水位が当該水位レベル以上か未満かによって判断した前記水槽の水位状態に基づいて前記水槽水位制御を行い、
前記表示方法は、
前記水槽の水位を取得するステップで、前記水槽の水位が前記水位レベル以上か未満かを取得し、
前記水槽方式グラフィックは、前記水位レベルを模した水位レベルグラフィックを含み、
前記水位表示は、前記水位レベルグラフィックを利用して、前記取得した前記水槽の水
位が前記水位レベル以上か未満かが表示される、
請求項１又は２に記載の表示方法。
【請求項４】
前記水槽方式は、前記水槽の水位を検出する水位計の方式を含み、
前記水槽方式グラフィックは、前記水位計を模したグラフィックを含む、
請求項１から３の何れか１項に記載の表示方法。
【請求項５】
前記水位計は、複数の電極棒を有するレベルスイッチであって、
前記表示方法は、前記複数の電極棒のうちの少なくとも一部の電極棒をグラフィック表示する、
請求項４に記載の表示方法。
【請求項６】
少なくとも一部が前記水槽の水面下の電極棒と、全てが水面上の電極棒と、で表示形式が異なる、請求項５に記載の表示方法。
【請求項７】
前記水位計の異常を表示するステップを更に含む、請求項４から６の何れか１つに記載の表示方法。
【請求項８】
前記水位表示は、前記水槽の減水状態、渇水状態、又は満水状態のうち少なくとも１つを示す水位状態の表示を含む、請求項１から７の何れか１つに記載の表示方法。
【請求項９】
前記水位表示における水位状態の表示は、前記取得した水位に基づいて判断されて表示される、請求項８に記載の表示方法。
【請求項１０】
前記ポンプ装置は、
前記水槽方式に基づいた少なくともひとつの水位レベルを前記水槽の水位の閾値とし、前記水槽の水位を計測する水位計から取得した水位が当該水位レベル以上か未満かによって判断した前記水槽の水位状態に基づいて前記水槽水位制御を行い、
前記表示方法は、
前記水位レベルを模した水位レベルグラフィックと、
前記水槽の水位状態に対する前記ポンプ装置の制御動作を示すための制御動作グラフィックと、
を併せて表示する
請求項１から９の何れか１つに記載の表示方法。
【請求項１１】
前記制御動作グラフィックは、前記水位レベルに対する前記ポンプ装置の制御動作の変化を矢印で示す制御動作矢印部と、前記水位状態に対する前記ポンプ装置の制御動作を文字情報で示す文字情報部と、の少なくとも一方を含む、請求項１０に記載の表示方法。
【請求項１２】
請求項１から１１の何れか１つに記載の表示方法を実行可能な表示部を備えるポンプ装置。
【請求項１３】
ポンプ装置と、請求項１から１２の何れか１つに記載の表示方法を実行可能な外部表示器と、を備えるポンプシステム。
【請求項１４】
ポンプの搬送液を貯水する水槽の水位を、水位の閾値である水位レベル以上または未満として取得し、当該取得した水位に基づいて判断した水位状態によって水槽水位制御を行う制御部を備えたポンプ装置において、
前記制御部は、前記水槽の水位を表示する表示器と通信する通信部を有し、当該通信部は、少なくとも前記水位レベルに基づく水位を含む水位情報を前記表示器に送信すること
を特徴とし、
前記水槽水位制御は、前記制御部に記憶された水槽方式に基づいて実行され、
前記表示器は、前記水槽の水位の表示において、前記水槽方式に対応する水槽方式グラフィックを水槽方式グラフィック群の中から選択して表示可能であり、
前記通信部は、更に、前記表示器に前記水槽方式を送信する
ことを特徴とするポンプ装置。
【請求項１５】
請求項１４に記載のポンプ装置と通信可能な表示器であって、
前記水槽方式に対応する水槽方式グラフィックを表示する水槽方式グラフィック部と、
前記水槽方式グラフィック部に表示可能な水槽方式グラフィック群が予め記憶された記憶部と、を有し、
前記水槽方式グラフィック群の中から前記ポンプ装置より取得した前記水槽方式に対応する水槽方式グラフィックを選択し、当該選択した水槽方式グラフィックを前記水槽方式グラフィック部に表示する、
表示器。
【請求項１６】
水槽の状態を表示するための表示方法であって、
前記水槽は、ポンプの搬送液を貯水し、当該水槽の水槽方式と水位とに基づいた水槽水位制御が前記ポンプを備えたポンプ装置によって行われ、
前記ポンプ装置は、
前記水槽方式に基づいた少なくともひとつの水位レベルを前記水槽の水位の閾値とし、前記水槽の水位を計測する水位計から取得した水位が当該水位レベル以上か未満かによって判断した前記水槽の水位状態に基づいて前記水槽水位制御を行い、
前記表示方法は、
前記水位レベルを模した水位レベルグラフィックと、
前記水槽の水位状態に対する前記ポンプ装置の制御動作を示すための制御動作グラフィックと、
を併せて表示する
表示方法。
【請求項１７】
前記制御動作グラフィックは、前記水位レベルに対する前記ポンプ装置の制御動作の変化を矢印で示す制御動作矢印部と、前記水位状態に対する前記ポンプ装置の制御動作を文字情報で示す文字情報部と、の少なくとも一方を含む、請求項１６に記載の表示方法。
【請求項１８】
水槽に応じた水槽方式を設定するための設定方法であって、
前記水槽は、ポンプの搬送液を貯水し、当該水槽の水位と水槽方式とに基づいた水槽水位制御が前記ポンプを備えたポンプ装置によって行われ、
前記ポンプ装置は表示操作器を介して各種状態の表示および操作がなされ、
前記設定方法は、
前記表示操作器に、選択可能な水槽方式を模した複数のグラフィックが表示される表示ステップと、
操作者が前記複数のグラフィックの中から該当するグラフィックを選択する入力ステップと、
前記ポンプ装置に当該選択されたグラフィックに基づいた水槽方式が設定される設定ステップと、
を含む設定方法。
【請求項１９】
前記表示ステップは、前記複数のグラフィックの中で現在設定されている前記水槽方式に対応するグラフィックを強調表示するステップを更に含む、請求項１８に記載の設定方法。
【請求項２０】
前記ポンプ装置は前記水槽が受水槽である受水槽方式の給水装置であって、
前記水槽方式は、受水槽の数を示す受水槽コードと、水位計の方式を示す水位計コードと、を含み、
前記設定方法は、
前記受水槽コードを設定する第１工程と、
前記水位計コードを設定する第２工程と、を有し、
前記第１工程は、
前記表示ステップで、前記表示操作器に、選択可能な前記受水槽コードを模した複数のグラフィックが表示され、
前記入力ステップで、操作者が前記複数のグラフィックの中から該当するグラフィックを選択し、
前記設定ステップで、前記ポンプ装置に前記選択されたグラフィックに対応する前記受水槽コードが設定され、
前記第２工程は、
前記表示ステップで、前記表示操作器に、前記第１工程にて設定された前記受水槽コードに基づいた選択可能な前記水位計コードを模した複数のグラフィックが表示され、
前記入力ステップで、操作者が前記グラフィックの中から該当するグラフィックを選択し、
前記設定ステップで、前記ポンプ装置に前記選択されたグラフィックに対応する前記水位計コードが設定される、
請求項１８又は１９に記載の設定方法。
【請求項２１】
前記ポンプ装置は前記水槽が受水槽である受水槽方式の給水装置であって、
前記水槽方式は、受水槽の数を示す受水槽コードと、水位計の方式を示す水位計コードと、を含み、
前記設定方法は、
前記受水槽コードと前記水位計コードとを設定する第１工程を有し、
前記第１工程は、
前記表示ステップで、前記表示操作器に、選択可能な前記受水槽コードと選択可能な前記水位計コードとを組み合わせて模した複数のグラフィックが表示され、
前記入力ステップで、操作者が前記複数のグラフィックの中から該当するグラフィックを選択し、
前記設定ステップで、前記ポンプ装置に前記選択されたグラフィックに対応する前記受水槽コードと前記水位計コードとが設定される、
請求項１８又は１９に記載の設定方法。
【請求項２２】
前記ポンプ装置は前記水槽が受水槽である受水槽方式の給水装置であって、
前記水槽方式は、受水槽の数を示す受水槽コードと、水位計の方式を示す水位計コードと、を含み、
前記設定方法は、
前記水位計コードを設定する第１工程と、
前記受水槽コードを設定する第２工程と、を有し、
前記第１工程は、
前記表示ステップで、前記表示操作器に、選択可能な前記水位計コードを模した複数のグラフィックが表示され、
前記入力ステップで、操作者が前記複数のグラフィックの中から該当するグラフィックを選択し、
前記設定ステップで、前記ポンプ装置に選択されたグラフィックに対応する水位計コードが設定され、
前記第２工程は、
前記表示ステップで、前記表示操作器に前記第１工程にて設定された前記水位計コードに基づいた選択可能な前記受水槽コードを模した複数のグラフィックが表示され、
前記入力ステップで、操作者が前記グラフィックの中から該当するグラフィックを選択し、
前記設定ステップで、前記ポンプ装置に前記選択されたグラフィックに対応する前記受水槽コードが設定される、
請求項１８又は１９に記載の設定方法。
【請求項２３】
前記ポンプ装置は前記水槽が高置水槽である高置水槽方式の給水装置であって、
前記水槽方式は、水位計の方式を示す水位計コードを含み、
前記表示ステップで、前記表示操作器に、選択可能な前記水位計コードを模した複数のグラフィックが表示され、
前記入力ステップで、操作者が前記グラフィックの中から該当するグラフィックを選択し、
前記設定ステップで、前記ポンプ装置に前記選択されたグラフィックに対応する水位計コードが設定される、
請求項１８又は１９に記載の設定方法。
【請求項２４】
前記ポンプ装置は前記水槽がポンプを収容する浄化槽である浄化槽方式のポンプ装置であって、
前記水槽方式は、前記浄化槽内に設置されるポンプの台数を示すポンプ台数コードを含み、
前記表示ステップで、選択可能な前記ポンプ台数コードを模した複数のグラフィックを表示し、
前記入力ステップで、選択されたグラフィックに対応する前記ポンプ台数コードを設定する、
請求項１８又は１９に記載の設定方法。
【請求項２５】
前記設定方法は、
特定の権限を有する者に対してのみ、前記表示操作器に、前記ポンプ装置における前記水槽方式を設定または変更するための水槽方式選択ボタンが表示されることを含み、
前記水槽方式選択ボタンが押下されることによって前記表示ステップが開始される、
請求項１８から２４の何れか１つに記載の設定方法。
【請求項２６】
前記設定方法は、前記表示操作器に、前記設定ステップで前記ポンプ装置に設定された水槽方式がグラフィック表示されることを含む、請求項１８から２５の何れか１つに記載の設定方法。
【請求項２７】
前記設定方法は、前記設定ステップで前記ポンプ装置に水槽方式が設定された後に、前記ポンプ装置から前記設定された水槽方式を取得し、前記表示操作器に、前記取得した水槽方式がグラフィック表示されることを含む、請求項１８から２５の何れか１つに記載の設定方法。
【請求項２８】
請求項１８から２７の何れか１つに記載の設定方法を実行可能な表示操作器を備えるポンプ装置。
【請求項２９】
ポンプ装置と、請求項１８から２７の何れか１つに記載の設定方法を実行可能な表示操作器と、を備えるポンプシステム。
【発明の詳細な説明】
【技術分野】
【０００１】
本発明は、水槽の状態を表示するための表示方法、ポンプ装置の水槽水位制御方式を設定するための設定方法、ポンプ装置、ポンプシステム、及び表示器に関する。
【背景技術】
【０００２】
ポンプ装置には、建物等の給水対象に水道水を供給する給水装置、消火設備で消火ポンプを用いた装置、排水設備等で水槽内に設置される水中ポンプが用いられた装置等がある。
【０００３】
ポンプ装置の一例として、給水装置は、建物等の給水対象に水道水を供給するために広く使用されている。給水装置の給水方式としては、水道本管の水が貯留された受水槽の水を給水対象へポンプにて加圧して給水する受水槽方式、及び水道本管の本管圧を利用しポンプにて増圧することにより給水対象へ給水する直結給水方式などが知られている。また、ポンプにて増圧した搬送液を給水対象へ直接給水する直送式と、ポンプにて増圧した搬送液を建物の屋上に設置された高置水槽に送水し、当該高置水槽に貯水した水を給水対象へ給水する高置水槽方式とがある。高置水槽方式は主に直結給水方式にて用いられる。
【０００４】
受水槽方式には、ひとつの受水槽にて構成される受水槽一槽式と、仕切弁が設けられた連通管によって互いに連通する２つの受水槽にて構成される受水槽二槽式などがある。また一般に、受水槽や高置水槽等の搬送液を貯水する水槽にはその水位を検出するための水位計が設けられる。水位計としては、例えば複数の電極棒を有するものが知られており、給水装置では、複数の電極棒による検出信号に基づいて、例えば水槽の満水、減水、又は渇水といった警報が出力される。
【０００５】
水槽に設けられる電極棒の使用方法は、給水装置の受水槽の数、及び市水の流入方式等の設置環境および使用環境等によって、様々に変更される。このため、従来、様々な使用方法に容易に対応できるように、給水装置の受水槽の数、及び市水の流入方式を表すコードと、当該コードに対応する給水装置を制御するためのプログラムと、が記憶され、操作者によるコードの入力に応じて制御を行う給水装置が提案されている（特許文献１参照）。
【０００６】
給水装置を設置する際には、水槽内に設置される複数の電極棒と給水装置との配線接続が行われる。こうした複数の電極棒の給水装置に対する誤配線を防止するために、従来、電極棒間の通電数に基づいて水槽の水位を検出する給水装置が提案されている（特許文献２参照）。さらに、水位計の回路異常に起因する不具合を防止するために、複数の電極棒からの検出信号に関して両立しない組み合わせが存在する場合に、外部に異常信号を出力する給水装置が提案されている（特許文献３参照）。
【０００７】
また、水中ポンプを用いたポンプ装置では、当該ポンプが設置された水槽内の水位をフロートスイッチにて検知し、水中ポンプを自動運転することができるポンプ装置が提案されている。（特許文献４参照）
【先行技術文献】
【特許文献】
【０００８】
【特許文献１】特許第４０８０９１３号明細書
【特許文献２】特開２０００−１８１８８号公報
【特許文献３】特開２００６−１６１７９１号公報
【特許文献４】特開２００６−２８３７３９号公報
【発明の概要】
【発明が解決しようとする課題】
【０００９】
上記したように、給水装置では、水位計の複数の電極棒からの検出信号に基づいて水位異常警報が出力される。しかしながら、例えば、満水、減水、又は渇水をランプで表示する従来の方法は、給水装置に不慣れなユーザにとって水槽の現在の水位または警報を理解しづらいと感じられる場合があった。
【００１０】
また、上記したように、給水装置を設置する際に作業者によって複数の電極棒と給水装置との電気接続が行われる。ここで、特に異なる水槽の数や異なる電極棒の数に対応できる給水装置では、まず、作業者は、使用する水槽の数、及び電極棒の数を、取扱説明書に記載された一覧から見つけ出す。続いて、作業者は、取扱説明書から、使用する水槽の数および電極棒の数に対応するコードおよび配線図を見ながら、給水装置の設定、及び複数の電極棒と給水装置の配線接続を行う。こうした設定および配線接続は、建物の管理者など、給水装置の施工に不慣れな作業者にとって煩雑な作業であった。さらに、水槽または水位計の設定ミス又は配線ミスが検出された場合にも、作業者は取扱説明書を見ながら設定又は配線の確認を行うことが求められ、作業者に煩雑な作業が求められていた。また、給水装置の設置作業では水を伴うため、取扱説明書等の紙媒体は濡れて破損する、といった懸念もある。
【００１１】
また、水中ポンプを用いたポンプ装置においても、自動運転の水位が正しいか否かを確認するためフロートスイッチにて検出される水位を確認する必要があり、当該水位確認の作業を簡略化したいといった要望がある。
【００１２】
本発明は、上述した事情に鑑みてなされたもので、ポンプ装置の搬送液を貯水する水槽の状態、又は電気配線を容易に確認することができる方法、ポンプ装置、ポンプシステム、又は表示器を提案することを目的の１つとする。また、ポンプ装置における水槽水位制御方式の設定を容易に行うことができる方法、ポンプ装置、又はポンプシステムを提案することを目的の１つとする。
【課題を解決するための手段】
【００１３】
本発明の一実施形態によれば、水槽の状態を表示するための表示方法が提案される。前記水槽は、ポンプの搬送液を貯水し、当該水槽の水槽方式と水位とに基づいた水槽水位制御が前記ポンプを備えたポンプ装置によって行われる。そして、前記表示方法は、前記水槽方式を取得するステップと、前記水槽の水位を取得するステップと、を有し、前記取得した前記水槽方式を模した水槽方式グラフィックと、前記取得した前記水槽の水位を示すための水位表示と、を併せて表示する。かかる方法によれば、水槽方式を模した水槽方式グラフィックと、水槽の水位を示すための水位表示と、が併せて表示されるので、水槽の状態を視覚的に容易に確認することができる。
【００１４】
本発明の一実施形態によれば、ポンプ装置が提案される。かかるポンプ装置は、ポンプの搬送液を貯水する水槽の水位を、水位の閾値である水位レベル以上または未満として取得し、当該取得した水位に基づいて判断した水位状態によって水槽水位制御を行う制御部を備える。そして、前記制御部は、前記水槽の水位を表示する表示器と通信する通信部を有し、当該通信部は、少なくとも前記水位レベルに基づく水位を含む水位情報を前記表示器に送信することを特徴とする。かかるポンプ装置によれば、水位レベルに基づく水位を含む水位情報が表示器に送信されるので、水槽の水位を表示する表示器の表示によって水槽の状態を視覚的に容易に確認することができる。
【００１５】
本発明の一実施形態によれば、水槽の状態を表示するための表示方法が提案される。前記水槽は、ポンプの搬送液を貯水し、当該水槽の水槽方式と水位とに基づいた水槽水位制御が前記ポンプを備えたポンプ装置によって行われる。前記ポンプ装置は、前記水槽方式に基づいた少なくともひとつの水位レベルを前記水槽の水位の閾値とし、前記水槽の水位を計測する水位計から取得した水位が当該水位レベル以上か未満かによって判断した前記水槽の水位状態に基づいて前記水槽水位制御を行う。そして、前記表示方法は、前記水位レベルを模した水位レベルグラフィックと、前記水槽の水位状態に対する前記ポンプ装置の制御動作を示すための制御動作グラフィックと、を併せて表示する。かかる方法によれば、水槽の水位レベルを模した水位レベルグラフィックと、水槽の水位状態に対するポンプ装置の制御動作を示すための制御動作グラフィックと、が併せて表示されるので、水槽の状態を視覚的に容易に確認することができる。
【００１６】
本発明の別の一実施形態によれば、水槽に応じた水槽方式を設定するための設定方法が提案される。前記水槽は、ポンプの搬送液を貯水し、当該水槽の水位と水槽方式とに基づいた水槽水位制御が前記ポンプを備えたポンプ装置によって行われる。前記ポンプ装置は表示操作器を介して各種状態の表示および操作がなされる。そして、前記設定方法は、前記表示操作器に、選択可能な水槽方式を模した複数のグラフィックが表示される表示ステップと、操作者が前記複数のグラフィックの中から該当するグラフィックを選択する入力ステップと、前記ポンプ装置に当該選択されたグラフィックに基づいた水槽方式が設定される設定ステップと、を含む。かかる方法によれば、ポンプ装置または外部表示器が備える操作表示器においてグラフィック表示される選択可能な水槽方式を見て、ポンプ装置における水槽方式の設定を容易に行うことができる。
【図面の簡単な説明】
【００１７】
【図１Ａ】実施形態に係る給水システムの構成概略の一例を示す図である。
【図１Ｂ】設定コードＰ１０と各情報との関係の一例を示す図である。
【図１Ｃ】図１Ｂにおける設定コードＰ１０が「９」であるときの電極棒と制御部との配線関係の一例を示している。
【図１Ｄ】本実施形態に係る運転パネルの一例を示す図である。
【図２】外部表示器によって実行される水位表示処理の一例を示すフローチャートである。
【図２Ａ】記憶部に記憶された各設定コードに対応する水槽方式グラフィック群の一例を示す図である。
【図３】実施形態における表示操作部に表示される受水槽の状態表示の一例を示す図である。
【図４】水位情報が満水状態であるときの受水槽の状態表示の一例を示す図である。
【図５】水位情報が渇水状態であるときの受水槽の状態表示の一例を示す図である。
【図６】水位計に異常が生じているときの受水槽の状態表示の一例を示す図である。
【図７】受水槽の状態表示の別の一例を示す図である。
【図８】受水槽の状態表示の更に別の一例を示す図である。
【図９】水槽設定処理の一例を示すフローチャートである。
【図９Ａ】第１の設定手段による設定処理の一例を示すフローチャートである。
【図９Ｂ】第２の設定手段による設定処理の一例を示すフローチャートである。
【図９Ｃ】第３の設定手段による設定処理の一例を示すフローチャートである。
【図１０Ａ】外部表示器による選択可能な受水槽方式を模したグラフィック表示と、操作者による選択と、の第１の例を説明するための図である。
【図１０Ｂ】外部表示器による選択可能な受水槽方式を模したグラフィック表示と、操作者による選択と、の第１の例を説明するための図である。
【図１０Ｃ】外部表示器による選択可能な受水槽方式を模したグラフィック表示と、操作者による選択と、の第１の例を説明するための図である。
【図１０Ｄ】外部表示器による選択可能な受水槽方式を模したグラフィック表示と、操作者による選択と、の第１の例を説明するための図である。
【図１１】外部表示器による選択可能な受水槽方式を模したグラフィック表示と、操作者による選択と、の第２の例を説明するための図である。
【図１２Ａ】外部表示器による選択可能な受水槽方式を模したグラフィック表示と、操作者による選択と、の第３の例を説明するための図である。
【図１２Ｂ】外部表示器による選択可能な受水槽方式を模したグラフィック表示と、操作者による選択と、の第３の例を説明するための図である。
【図１３】水槽方式グラフィック部の別の一例を示す図である。
【図１４】第２の実施形態に係る給水システムの一例を示す図である。
【図１５】第２の実施形態の運転パネルの一例を示す図である。
【図１６】高置水槽の水位表示の一例を示す図である。
【図１７】高置水槽の水位表示の一例を示す図である。
【図１８】高置水槽方式における水槽方式の設定手段を説明するための図である。
【図１９】浄化槽等に用いられる排水設備の一例を示す図である。
【図２０】ポンプ部と制御部とを有するポンプ装置を備えた排水設備を示す模式図である。
【図２１】浄化槽の水位表示の一例を示す図である。
【図２２】浄化槽方式における水槽方式の設定手段を説明するための図である。
【発明を実施するための形態】
【００１８】
以下、本発明の実施形態について図面を参照して説明する。なお、図面では、同一または相当する構成要素には、同一の符号を付して重複した説明を省略する。
【００１９】
図１Ａは、給水装置を備えた給水システムの構成概略の一例を示す図である。この給水システムは、給水装置１０（ポンプ装置）と、２つの受水槽１１０Ａ、１１０Ｂと、を備え、主にマンション、オフィスビル、商業施設、又は学校等の建物（給水対象）に水を供給するためのシステムである。図１Ａに示す例では、給水装置１０は、吸込側（一次側）に２つの受水槽１１０Ａ、１１０Ｂが設置される受水槽方式（受水槽二槽式）で使用されている。ただし、本実施形態の給水装置１０は、一次側に１つの受水槽が設置される受水槽方式（受水槽一槽式）で使用することもできる。なお、「受水槽方式」は、「水槽方式」の一例である。給水装置１０の吐出側（二次側）には給水管１０７が接続されており、この給水管１０７は、図示しない建物の各給水栓（例えば蛇口）に連通する。給水装置１０は、水供給源である図示しない水道本管から受水槽１１０Ａ、１１０Ｂに貯められた水を加圧し、建物の各給水栓に水を供給する。
【００２０】
図１Ａに示す受水槽二槽式について詳細に説明する。受水槽二槽式では、２つの受水槽１１０Ａ、１１０Ｂが使用される。２つの受水槽１１０Ａ、１１０Ｂには、水道本管に連通する導入管１０２より分岐した流入管１３０Ａ、１３０Ｂによって、水供給源である水道本管（図示せず）からの水が貯められる。流入管１３０Ａ、１３０Ｂのそれぞれには、市水流入弁１３２Ａ、１３２Ｂが設けられている。市水流入弁１３２Ａ、１３２Ｂは、流入管１３０Ａ、１３０Ｂの流路を遮蔽可能なバルブであって、例えば、電磁弁や電動弁で構成される。本実施形態では、市水流入弁１３２Ａ、１３２Ｂは、給水装置１０のＩ／Ｏ部４７からの出力信号によって制御される。受水槽１１０Ａは、市水流入弁１３２Ａが設けられた流入管１３０Ａの下流に設置されており、市水流入弁１３２Ａが開けられることにより、導入管１０２の水が受水槽１１０Ａへと流入する。また、受水槽１１０Ｂは、市水流入弁１３２Ｂが設けられた流入管１３０Ｂの下流に設置されており、市水流入弁１３２Ｂが開けられることにより、導入管１０２の水が受水槽１１０Ｂへと流入する。
【００２１】
受水槽１１０Ａ、１１０Ｂと給水装置１０の吸込口１０Ａとは、導入管１１６Ａ、１１６Ｂによって接続されている。導入管１１６Ａ、１１６Ｂのそれぞれには、手動で開閉可能な仕切弁１１８Ａ、１１８Ｂが設けられている。仕切弁１１８Ａが開けられることによって受水槽１１０Ａと給水装置１０とが連通し、仕切弁１１８Ｂが開けられることによって受水槽１１０Ｂと給水装置１０とが連通する。これにより、仕切弁１１８Ａ、１１８Ｂの開閉に応じて、受水槽１１０Ａ、１１０Ｂの一方または両方に貯められた水が給水装置１０に導入される。
【００２２】
また、受水槽１１０Ａ、１１０Ｂは、止水弁１１４が設けられた連通管１１２によって互いに接続されている。止水弁１１４は例えば仕切弁で構成され、止水弁１１４が開かれているときには受水槽１１０Ａ、１１０Ｂは同じ水位となり、止水弁１１４が閉じられているときには受水槽１１０Ａ、１１０Ｂは独立した水位となる。
【００２３】
受水槽１１０Ａ、１１０Ｂのそれぞれには、受水槽１１０Ａ内の水位を検出する水位計である第１水位計、受水槽１１０Ｂ内の水位を検出する水位計である第２水位計が設けられている。具体的には、受水槽１１０Ａ、１１０Ｂ内の水位を検出する水位計である電極式レベルスイッチ１２０Ａ（第１水位計）、電極式レベルスイッチ１２０Ｂ（第２水位計）が設けられている。本実施形態では、給水装置１０は、受水槽１１０Ａ、１１０Ｂ内の水位の閾値として少なくともひとつの水位レベルを有し、受水槽１１０Ａ、１１０Ｂ内の水位が当該水位レベル以上または水位レベル未満かによって判断した水位状態にて水槽水位制御を行う。具体的には、後述する水槽方式（設定コードＰ１０）に基づく水位レベルは、例えば、水位の低い順に電極式レベルスイッチ１２０Ａ、１２０Ｂの電極に割り当てられた渇水の水位レベル、減水の水位レベル、開水位レベル、閉水位レベル、満水の水位レベルである。給水装置１０は、受水槽１１０Ａ、１１０Ｂ内の水位が、ポンプ２０を強制的に停止させる渇水の水位レベルよりも高い減水の水位レベル未満で水位状態を「減水状態」と判断し、更に水位が低くなりポンプ２０を強制的に停止させる所定の水位レベル（渇水の水位レベル）未満となったら水位状態を「渇水状態」と判断する。更に、給水装置１０は、水が溢れる虞がある満水の水位レベル以上となったら水位状態を「満水状態」と判断する。なお、制御部４０は減水を検出するか否かの設定値を有し、制御部４０が減水を検出しない場合は、水槽の水位が渇水の水位レベル以上満水の水位レベル未満であれば、水位状態は「正常状態」である。一方、制御部４０が減水を検出する場合は、水槽の水位が減水の水位レベル以上満水の水位レベル未満であれば、水位状態は「正常状態」である。
【００２４】
電極式レベルスイッチ１２０Ａ、１２０Ｂによる検出信号は、給水装置１０のＩ／Ｏ部４７に入力される。電極式レベルスイッチ１２０Ａ、１２０Ｂのそれぞれは、受水槽１１０Ａ、１１０Ｂ内に配置される複数の電極棒１２１〜１２５を備えている。複数の電極棒１２１〜１２５は、水位検知器であって、本実施形態では、コモン電極棒１２１、及び、低い水位を検出できる順に、渇水の水位レベルの検出のための電極棒１２２、市水流入弁１３２Ａ、１３２Ｂを開放する開水位レベルの検出のための電極棒１２３、市水流入弁１３２Ａ、１３２Ｂを閉止する閉水位レベルの検出のための電極棒１２４、満水の水位レベルの検出のための電極棒１２５となっている。なお、電極式レベルスイッチ１２０Ａ、１２０Ｂは、５本の電極棒１２１〜１２５を有するものに限られず、３本、４本、または６本以上の電極棒を有してもよい。その場合でも、最も低い水位レベルを検出できる電極棒にて渇水の水位レベルを検出し、最も高い水位レベルを検出できる電極棒にて満水の水位レベルを検出するとよい。また、市水流入弁１３２Ａ、１３２Ｂを開放するための開水位レベルは、市水流入弁１３２Ａ、１３２Ｂを閉止するための閉水位レベルよりも低い水位レベルとするとよい。
【００２５】
ここで、電極式レベルスイッチ１２０Ａ（第１水位計）、電極式レベルスイッチ１２０
Ｂ（第２水位計）においては、各電極棒１２２〜１２５と最も長いコモン電極棒１２１との間の抵抗値の変化を検出することにより、水槽の水面が各電極棒１２２〜１２５の下端よりも高い位置にあることを検出するようになっている。すなわち、受水槽１１０Ａ、１１０Ｂの水面が各電極棒１２２〜１２５の下端よりも高くなり、その少なくとも一部が水面下の電極棒１２２〜１２５とコモン電極棒１２１の間が水により導通されたときに各水位レベル以上の検出信号を後述するＩ／Ｏ部４７へ出力する。一方、受水槽１１０Ａ、１１０Ｂの水面が各電極棒１２２〜１２５の下端よりも低くなると、その全ての部分が水面上の電極棒１２２〜１２５とコモン電極棒１２１との間は、水により導通されないため、後述するＩ／Ｏ部４７へ出力される各水位レベル以上の検出信号をオフする。
【００２６】
受水槽１１０Ａ、１１０Ｂのそれぞれには、電極式レベルスイッチ１２０Ａ、１２０Ｂに代えて、もしくは加えて、受水槽１１０Ａ、１１０Ｂ内の水位を検出する水位計であるフロートスイッチ１４０Ａ、１４０Ｂが設けられていてもよい。フロートスイッチ１４０Ａ、１４０Ｂによる検出信号は、給水装置１０の制御部４０に入力され、ポンプ装置１０は、受水槽１１０Ａ、１１０Ｂの水位が少なくともひとつの水位レベル（渇水、市水流入弁１３２Ａ、１３２Ｂの開水位、閉水位、又は満水等の水位レベル）以上または未満であると判断する。なお、フロートスイッチ１４０Ａ、１４０Ｂは、給水装置１０が渇水の水位レベル、市水流入弁１３２Ａ、１３２Ｂの開水位レベルおよび閉水位レベル、又は満水の水位レベルを検出する場合、複数設けられるとよい。
【００２７】
なお、市水流入弁１３２Ａ、１３２Ｂの開閉は制御部４０を介さずに行ってもよい。具体的には、上述した水位計は、市水流入弁１３２Ａ、１３２Ｂに接続されるリレー接点等の出力部が設けられ、市水流入弁１３２Ａ、１３２Ｂの開閉は、当該水位計の出力部からの信号によって制御される。各水位計の出力部は、市水流入弁１３２Ａ、１３２Ｂの開水位レベル以下の検出にて該当する市水流入弁１３２Ａ、１３２Ｂを開とする信号をＯＮし、市水流入弁１３２Ａ、１３２Ｂの閉水位レベル以上の検出にて該当する市水流入弁１３２Ａ、１３２Ｂを開とする信号をＯＦＦ（つまり、市水流入弁１３２Ａ、１３２Ｂを閉じる）してもよい。
【００２８】
次に、受水槽１１０Ａ、１１０Ｂの下流（二次側）に接続された給水装置１０について説明する。給水装置１０は、受水槽モードとして、受水槽１１０Ａを用いて給水を行う第１受水槽モード、受水槽１１０Ｂを用いて給水を行う第２受水槽モード、後述する仕切弁１１８Ｂが解放された状態で受水槽１１０Ａと受水槽１１０Ｂの両方を用いて給水を行う受水槽共用モードのうち何れかのモードを備える。本実施形態では、給水装置１０は、後述する水槽制御操作表示部への外部入力による水槽選択ボタン４４１（図１Ｄ）で「Ｎｏ１」、「Ｎｏ２」、または、「共用」の何れかが選択される。そして、給水装置１０は、受水槽選択にてＮｏ１が選択されたときに第１受水槽モード、Ｎｏ２が選択されたときに第２受水槽モード、共用が選択されたときに受水槽共用モードとする。なお、こうした受水槽モードは、給水装置１０が受水槽二槽式で使用される場合にのみ変更できるものとし、給水装置１０が受水槽一槽式で使用される場合には第１受水槽モードで固定されるとよい。
【００２９】
給水装置１０の具体的な構成について説明する。給水装置１０は、ポンプ２０と、このポンプ２０を駆動する駆動部としてのモータ２１と、モータ２１を可変速駆動する周波数変換器としてのインバータ２２と、を備えている。また、給水装置１０は、ポンプ２０の吐出し側（下流側）に、逆止弁２３と、フロースイッチ２４と、圧力センサ２６と、圧力タンク２８と、を備える。受水槽１１０Ａ、１１０Ｂは、ポンプ２０の搬送液を貯水する水槽である。
【００３０】
図１Ａに示す例では、ポンプ２０、モータ２１、逆止弁２３、及びフロースイッチ２４
が２組設けられ、これらは並列に設けられている。なお、１組、または３組以上のポンプ２０、モータ２１、逆止弁２３、及びフロースイッチ２４が設けられてもよい。複数台のポンプ２０を設けることにより、一部のポンプ２０が運転不可となった場合には、運転可能な他のポンプ２０にて給水を継続し極力断水を避けるようになっている。
【００３１】
逆止弁２３は、ポンプ２０の吐出口に接続された吐出管３２に設けられており、ポンプ２０が停止したときの水の逆流を防止する。逆止弁２３の下流側には、フロースイッチ２４が設けられている。フロースイッチ２４は、吐出管３２を流れる水の流量が所定の値にまで低下したこと、すなわち過少水量（小水量）を検出する流量検出器である。吐出管３２におけるフロースイッチ２４のさらに下流側には、圧力センサ２６、及び圧力タンク２８が設けられている。圧力センサ２６は、ポンプ２０の吐出し圧力（以降、吐出し圧力とは、圧力センサ２６にて測定した圧力値を示す。）を測定するための圧力測定器である。圧力タンク２８は、ポンプ２０が停止している間の吐出し圧力を保持するための圧力保持器である。
【００３２】
給水装置１０は、ポンプ２０を制御して給水動作を制御する制御部４０を備えている。図１Ａに示すように、制御部４０は、記憶部４１と、演算部４２と、Ｉ／Ｏ部４７と、運転パネル４４と、通信部４８と、を備えている。
【００３３】
記憶部４１としては、ＲＯＭ、ＨＤＤ、ＥＥＰＲＯＭ、ＦｅＲＡＭ、及びフラッシュメモリ等の不揮発性メモリ、ＲＡＭ等の揮発性メモリが使用される。記憶部４１は、給水装置１０を制御するための制御プログラムと、装置情報、設定値情報、メンテナンス情報、履歴情報、異常情報、運転情報等の給水装置１０に関する各種データを記憶する。なお、これらは、記憶部４１が不揮発性記憶領域を有する場合には、その不揮発性記憶領域に記憶されてもよい。
【００３４】
なお、本実施形態では、設定変更可能な装置情報または設定値情報として、受水槽が一槽式または二槽式であるか、受水槽選択、電極式レベルスイッチ１２０Ａ、１２０Ｂにおける電極棒の本数、さらには各電極に入力される水位信号並びに現在選択されている受水槽１１０Ａおよび／または１１０Ｂが記憶される。
【００３５】
また、本実施形態では記憶部４１に、設定値情報として、受水槽が一槽式または二槽式であるか、電極式レベルスイッチ１２０Ａ、１２０Ｂにおける電極棒の本数、及び市水流入弁１３２Ａ、１３２Ｂの制御方法、に関連付けられた設定コードＰ１０（受水槽設定）が記憶されている。設定コードＰ１０に基づいて「受水槽方式」が決定される。
【００３６】
図１Ｂは、記憶部４１に記憶される設定コードＰ１０の設定値と受水槽方式に関する各情報との関係の一例を示す図である。本実施形態では、設定コードＰ１０の設定値として「１」〜「１５」が予め定められており、設定コードＰ１０の設定に応じて制御部４０は水槽水位制御を実行する。図１Ｂに示す例は、一例であって、設定コードＰ１０と各情報との対応関係は適宜定められればよい。本実施形態では、図１Ｂに示すように、受水槽方式は、受水槽の数を示す受水槽コード、水位計の方式を示す水位計コード、電磁弁方式を示す電磁弁コード並びに市水流入弁制御コード等が含まれる。例えば設定コードＰ１０の値が「１」であるときには、受水槽方式は、受水槽コードより「受水槽一槽式」、且つ、電極コードより「レベルスイッチ１２０Ａの電極棒数が４本」、且つ、電磁弁コード並びに市水流入弁制御コードにより「制御部４０は、市水流入弁１３２Ａの制御信号の出力なし」であることを意味する。また、例えば設定コードＰ１０の値が「９」であるときには、受水槽方式は、「受水槽二槽式」、且つ、「レベルスイッチ１２０Ａ、１２０Ｂの電極棒数が５本」、且つ、「制御部４０は市水流入弁１３２Ａ、１３２Ｂを同時に開閉させる制御信号の出力あり」である、ことを意味する。
【００３７】
図１Ｃは、図１Ｂにおける設定コードＰ１０の設定値が「９」であるときの電極棒と制御部４０との配線関係を示している。本実施形態の制御部４０は、Ｉ／Ｏ部４７に、図１Ｃに模式的に示す入力端子Ｅ１１〜Ｅ１５、Ｅ３１〜Ｅ３３、Ｅ２１〜２５、及びＥ４１〜Ｅ４３を有する。そして、記憶部４１には、設定コードＰ１０の設定値毎に、各電極棒からの電気配線がどの入力端子に接続されるのかが記憶されている。一例として、図１Ｃに示す例では、受水槽１１０Ａに設置されるレベルスイッチ１２０Ａのコモン電極棒１２１は、入力端子Ｅ１５に接続される。また、電極棒１２２〜１２５は、入力端子Ｅ１４〜Ｅ１１に接続される。同様に、受水槽１１０Ｂに設置されるレベルスイッチ１２０Ｂの電極棒１２１〜１２５は、入力端子Ｅ２５〜Ｅ２１に接続される。一例として設定コードＰ１０の設定値が「９」であるときの配線関係を説明したが、記憶部４１には他の設定値に対しても電極棒と入力端子との配線関係が予め記憶されている。具体的には、記憶部４１には、設定コードＰ１０の設定値毎の図１Ｃに示すような模式図やそれに相当する情報（入力端子と接続される電極の相互関係のデータテーブル等）が記憶されている。
【００３８】
図1Ａに説明をもどす。演算部４２としては、ＣＰＵが使用される。演算部４２は、記憶部４１に格納されている制御プログラム及び各種データ、並びにＩ／Ｏ部４７から入力される信号に基づいて、給水装置１０を構成する各機器を制御するための演算等を行う。また、演算部４２は、通信部４８及びＩ／Ｏ部４７等における通信制御、並びに、運転パネル４４における表示および操作の制御を行う。演算部４２における演算結果は、記憶部４１に記憶されるとともに、Ｉ／Ｏ部４７、通信部４８に出力される。例えば、演算部４２は、設定コードＰ１０に基づいて決定された「受水槽方式」に基づいた水槽水位制御を行う。
【００３９】
Ｉ／Ｏ部４７としては、ポートや端子等が使用され、電極式レベルスイッチ１２０Ａ、１２０Ｂの検出信号を入力する入力端子Ｅ１１〜Ｅ１５、Ｅ３１〜Ｅ３３、Ｅ２１〜２５及びＥ４１〜Ｅ４３（図１Ｃ参照）を有する。また、Ｉ／Ｏ部４７は、圧力センサ２６、フロースイッチ２４、受水槽１１０Ａ、１１０Ｂに設けられている電極式レベルスイッチ１２０Ａ、１２０Ｂ、フロートスイッチ１４０Ａ、１４０Ｂ、等の各種センサ類の検出信号等を受け入れて演算部４２に送る。また、Ｉ／Ｏ部４７は、市水流入弁１３２Ａ、１３２Ｂへ演算部４２からの開閉指令信号を送るための出力端子を有する。また、Ｉ／Ｏ部４７は、インバータ２２と互いに接続されている。Ｉ／Ｏ部４７とインバータ２２とは、ＲＳ４２２、２３２Ｃ、４８５等の通信手段により互いに接続されるとよい。
【００４０】
運転パネル４４は、記憶部４１に記憶される各種データを、演算部４２を介して表示ならびに変更することができるＧＵＩ（グラフィカルユーザインターフェイス）である。具体的には、運転パネル４４は、装置情報、設定値情報、メンテナンス情報の表示および設定変更、メンテナンス情報、履歴情報の表示、入力、履歴のクリア、異常情報の表示およびリセット、水槽の水位情報、並びに、運転情報の表示等を行う。なお、制御部４０と運転パネル４４は同一の基板にて構成されてもよいし、別々の基板としてもよい。別々の基板の場合、制御部４０と運転パネル４４とは、シリアル通信もしくは信号線等の有線、または無線にて接続されるとよい。また、運転パネル４４を給水装置１０から離れた場所（例えば、管理人室等）に設置し、運転パネル４４は、ＣＰＵを備えて該ＣＰＵにて表示操作の制御をしたり、制御部４０および外部表示器８０との通信制御を行ったりしてもよい。
【００４１】
運転パネル４４の設定部４５は、制御部４０の情報入力部であって、ユーザからの外部操作により給水装置１０における自動給水の運転／停止、受水槽１１０Ａ、１１０Ｂの選択、警報リセット、及び、各種データの設定変更等の各種入力操作を行うために使用される。設定部４５は、操作ボタンまたはタッチパネル等を備えるとよい。ここで、本実施形
態では、設定部４５を通じた入力と、Ｉ／Ｏ部４７を通じた入力と、通信部４８を通じた入力とを、外部入力という。設定部４５を通じて外部操作によって入力された情報は、記憶部４１に記憶される。例えば、設定部４５は、受水槽方式、給水装置１０の給水方式、設定圧力ＰＡ、最低圧力ＰＢ、始動圧力、及び停止圧力を設定値情報として設定変更することができる。
【００４２】
運転パネル４４の表示部４６は、ユーザインターフェースとして機能し、記憶部４１に格納されている各種データを表示できるように構成されている。給水装置１０は、機械室またはポンプ室などの電気的なノイズの多い環境に設置されることがある。こうした場合に備えて、表示部４６は、液晶表示およびタッチパネルよりも電気的ノイズに強い７セグメントＬＥＤまたは表示灯、並びに機械的な押圧ボタンなどにて構成された表示器が使用されてもよい。これにより、電気的なノイズ等によって外部表示器８０の表示操作部８０Ａに異常が発生するような外部環境においても、給水装置１０の運転に必要な最低限度の表示を表示部４６に表示することができる。したがって、給水装置１０を電気的ノイズの多い環境下にも設置することができる。ただし、表示部４６としては、電気的ノイズに強い表示器に限定されず、ドットマトリクス方式による液晶表示器やタッチパネルなどが使用されてもよい。
【００４３】
図１Ｄは、本実施形態の運転パネル４４の一例を示す図である。本実施形態の運転パネル４４は、図示するように、水位警報表示部１５０と水槽制御操作表示部１６０とを有する。水槽制御操作表示部１６０は、水槽選択ボタン４４１及び表示ランプＬ３、Ｌ４を有する。水槽選択ボタン４４１は例えばタクトスイッチであって操作者が押下することで、受水槽選択として「Ｎｏ．１」、「Ｎｏ．２」または「共用」の何れかを選択でき、当該選択された受水槽選択の状態が表示ランプＬ３、Ｌ４の一方または両方の点灯によって示される。つまり、受水槽選択にて「Ｎｏ．１」が選択されているときには表示ランプＬ３のみが点灯し、「Ｎｏ．２」が選択されているときには表示ランプＬ４のみが点灯し、「共用」が選択されているときには表示ランプＬ３、Ｌ４の両方が点灯する。水位警報表示部１５０は表示ランプＬ１、Ｌ２を有する。水位警報は表示ランプＬ１、もしくは、Ｌ２の点灯または点滅によって示すとよい。具体的には、受水槽選択として選択された受水槽の水位が満水状態となっているときに満水警報として表示ランプＬ１が点灯する。また、選択された受水槽水位が減水状態となっているときに減水警報として表示ランプＬ２が点滅し、選択された受水槽水位が渇水状態となっているときに表示ランプＬ２が渇水警報として点灯する。なお、受水槽選択は、水槽選択ボタン４４１によって変更されるものに代えて、または加えて、通信部４８またはＩ／Ｏ部４７への外部入力によって変更されるものとしてもよい。
【００４４】
通信部４８は、有線通信または無線通信によって外部表示器８０と通信可能なように構成されている。具体的には、記憶部４１に記憶された給水装置１０に関する各種情報を外部表示器８０へ送信するとともに、制御部４０の情報入力部として外部表示器８０からの設定値情報の設定変更を受信し、演算部４２に送る。通信部４８における無線通信としては、例えば近距離無線通信（ＮＦＣ：Near  Field  Communication）の技術を利用することができる。また、Ｂｌｕｅｔｏｏｔｈ（登録商標）およびＷｉ−Ｆｉ（登録商標）など、任意の方式の無線通信を利用することができる。ただし、ＮＦＣは、制御部４０と外部表示器８０とを近づけるだけで通信を完了させることができる点で有利である。また、有線通信としては、例えば制御部４０にＵＳＢ（Universal  Serial  Bus）のような外部接続端子が設けられ、ここに外部表示器８０が接続されることによって通信がなされてもよいし、ＲＳ４２２、ＲＳ２３２Ｃ、ＲＳ４８５等のシリアル通信を用いてもよい。
【００４５】
外部表示器８０（表示器）は、表示操作部８０Ａを有し、給水装置１０の通信部４８と通信して給水装置１０に関する各種データを表示・変更可能なように構成されている。具
体的には、外部表示器８０は、記憶部４１に記憶された各種データを給水装置１０の通信部４８から受信し表示操作部８０Ａに表示する。また、外部表示器８０は、ユーザが表示操作部８０Ａを操作して入力した各種データの変更要求を給水装置１０の通信部４８へ送信する。表示操作部８０Ａは、タッチ入力方式または押圧ボタン方式を用いた液晶画面での高機能表示器を採用することができる。この場合、給水装置１０の表示部４６には簡易な情報を表示させ、外部表示器８０には大きな情報量の情報を表示させてもよい。こうした構成により、外部表示器８０は、記憶部４１に記憶された各種データのうち複数の情報（例えば、後述する水槽方式グラフィックや水位表示、設定圧力ＰＡ、最低圧力ＰＢ、始動圧力、停止圧力、目標圧ＳＶ、現在圧ＰＶ、ポンプ２０の運転・停止、回転速度など）を、表示操作部８０Ａの同一画面上に表示することができる。これにより、給水装置１０に不慣れなユーザも誤解することなく、給水装置１０の状態を認識したり、設定入力を行うことができる。
【００４６】
さらに、外部表示器８０として、スマートフォン、携帯電話、パソコン、又は、タブレットなどの汎用端末機器（ＰＤＡ：personal digital assistant）を採用した場合には、これらのＰＤＡに、外部表示器８０として作用するための専用のアプリケーションソフトウエアをインストールさせてもよい。この場合には、専用のアプリケーションソフトウエアをユーザのレベル又は目的に沿って複数用意してもよい。また、外部表示器８０は各種ネットワーク９０に接続でき、当該ネットワーク９０を介して専用のアプリケーションソフトウエアをダウンロードしたり、給水装置１０より取得した情報を外部に送信できるとよい。
【００４７】
なお、上述した運転パネル４４の機能は、外部表示器８０にて全て実施可能としてもよい。こうすれば、給水装置１０が操作しにくい場所（例えば、運転パネル４４が操作者の足元あたり）に設置されていても給水装置１０の状態確認や設定値情報の変更等の操作が容易となる。
【００４８】
次に、制御部４０による給水装置１０の給水制御の一例について説明する。渇水状態が発生しておらず、且つ、ポンプ２０が停止している状態で吐出し圧力が所定の始動圧力以下に低下すると、制御部４０はポンプ２０の少なくとも１つを始動させる。具体的には、制御部４０はポンプ２０の駆動を開始するようにモータ２１（インバータを備える場合にはインバータ）に指令を出す。ポンプ２０の運転中は、設定された圧力（設定圧力ＰＡ）により推定末端圧力一定制御または目標圧力一定制御などの制御が行われる。具体的には推定末端圧力一定制御の場合は、水供給先の末端の圧力が一定となるように、制御部４０は、ポンプ２０の回転数と目標圧力制御カーブとを用いてポンプ２０の吐出し圧力に対する目標圧ＳＶを設定する。目標圧力一定制御の場合は、制御部４０は、ポンプ２０の吐出し側の圧力が設定圧力ＰＡとなるように、設定圧力ＰＡを目標圧ＳＶと設定する。また、推定末端圧力一定制御と目標圧力一定制御とのいずれの場合にも、制御部４０は、吐出し圧力を現在圧ＰＶとして、目標圧ＳＶと現在圧ＰＶの偏差にてＰＩ演算またはＰＩＤ演算にてポンプ２０の指令回転速度を算出する。なお、推定末端圧一定制御において、設定圧力ＰＡは最大流量時の圧力値であり、最低圧力ＰＢは末端の給水栓における流量ゼロ時の圧力値である。また、制御部４０は、本実施形態のようにポンプが複数台ある場合は、同時に起動可能なポンプ台数（ポンプ並列運転台数）にて水量に応じたポンプの台数制御も行う。なお、ポンプ並列運転台数は設定値情報として記憶部４１に記憶されるとよい。
【００４９】
ポンプ２０の運転中に建物での水の使用が少なくなると、ポンプ２０からの吐出し流量が過少水量未満に至ったことをフロースイッチ２４が検出し、検出信号がＩ／Ｏ部４７を介して制御部４０に送られる。制御部４０は、この検出信号を受けると、所定時間で吐出し圧力が停止圧力に達するようにポンプ２０の回転数を制御する蓄圧運転を行う。そして、吐出し圧力が所定の停止圧力に達すると、圧力タンク２８に蓄圧したと判断して蓄圧運
転を終了し、ポンプ２０を停止（小水量停止）させる。ポンプ２０が小水量停止した後に、再び建物内で水が使用されて吐出し圧力が始動圧力以下まで低下すると、ポンプ２０の小停再始動が行われる。なお、本実施形態のようにポンプが複数台ある場合には、始動するポンプ２０をローテーションさせ、ポンプ２０内に水が滞留するのを防ぐことが好ましい。また、小水量を検知する方法としては、フロースイッチ２４を用いずに、モータ２１の電流値による低負荷や締切揚程等その他の手段を用いてもよい。
【００５０】
また、本実施形態では、制御部４０は、水槽方式である現在の設定コードＰ１０を参照することにより、受水槽の数、及び電極式レベルスイッチ１２０Ａ、１２０Ｂの電極の数などの情報を判断して受水槽制御を実行する。具体的には、設定コードＰ１０が「９」のときには、図１Ｂおよび図１Ｃに示すように、制御部４０は、受水槽二槽式、電極棒の数が５本であると判断する。そして、制御部４０は、各入力端子に入力される電極式レベルスイッチ１２０Ａ、１２０Ｂの各電極棒を判断する。制御部４０は、コモン電極棒１２１が入力端子Ｅ１５に接続され、入力端子Ｅ１４に渇水の水位レベルの検出のための電極棒１２２、入力端子Ｅ１３に開水位レベルの検出のための電極棒１２３、入力端子Ｅ１２に閉水位レベルの検出のための電極棒１２４、入力端子Ｅ１１に満水の水位レベルの検出のための電極棒１２５が接続され、同様に、入力端子Ｅ２５〜Ｅ２１にはレベルスイッチ１２０Ｂの電極棒１２１〜１２５が接続されていると判断する。
【００５１】
そして、制御部４０は、入力端子Ｅ１１〜Ｅ１５、Ｅ３１〜Ｅ３３、Ｅ２１〜２５、及びＥ４１〜Ｅ４３に入力された電極式レベルスイッチ１２０Ａ、１２０Ｂの検出信号に基づいて受水槽１１０Ａ、１１０Ｂの水位を判定し、判定した水位に基づいて受水槽制御（水槽水位制御）を実行する。つまり、制御部４０は、電極式レベルスイッチ１２０Ａ、１２０Ｂより取得した少なくともひとつの水位レベル（例えば、満水レベル、減水レベル、渇水レベル）に基づいて判断された水位状態（例えば、満水状態、減水状態、渇水状態）によって受水槽水位制御を行う。受水槽制御には、市水流入弁１３２Ａ、１３２Ｂの開閉制御、渇水状態によるポンプ２０の強制停止、運転パネル４４や外部表示器８０等への水位警報の表示、及び水位警報等の外部出力等の少なくともひとつが含まれる。受水槽二槽式の場合、制御部４０は、第１受水槽モードでは電極式レベルスイッチ１２０Ａの検出信号に基づいて受水槽１１０Ａの水位を判定し、第２受水槽モードでは電極式レベルスイッチ１２０Ｂの検出信号に基づいて受水槽１１０Ｂの水位を判定するとよい。また、制御部４０は、共用モードでは、予め定めた一方の電極式レベルスイッチ１２０Ａ、１２０Ｂの検出信号に基づいて受水槽１１０Ａ、１１０ｂの水位を判定するものとしてもよいし、両方の検出信号に基づいて受水槽１１０Ａ、１１０ｂの水位を判定するものとしてもよい。なお、一実施形態として、受水槽一槽式の場合に制御部４０は、電極式レベルスイッチ１２０Ａの検出信号に基づいて受水槽１１０Ａの水位を判定し、受水槽制御（水槽水位制御）を実行する。
【００５２】
次に、受水槽１１０Ａ、１１０Ｂの状態を表示する方法について説明する。以下の説明では、一例として、外部表示器８０の表示操作部８０Ａに、受水槽１１０Ａ、１１０Ｂの状態を表示する方法について説明する。この場合、制御部４０は所得した水位状態を含む水位情報と水槽方式とを外部表示器８０に送信する。また、受水槽１１０Ａ、１１０Ｂの状態の表示については、外部表示器８０に加えて又は代えて制御部４０の表示部４６（運転パネル４４）にてなされてもよい。運転パネル４４にて表示等される場合、運転パネル４４が外部表示器８０と同様の構成並びに機能を有する。換言すれば、以下に説明する受水槽１１０Ａ、１１０Ｂの状態を表示する方法は、給水装置１０の制御部４０によって実行されてもよいし、運転パネル４４によって実行されてもよいし、給水装置１０の制御部４０から情報を取得可能な外部表示器８０によって実行されてもよい。運転パネル４４および外部表示器８０は、表示操作器の一例に当たる。また、受水槽１１０Ａ、１１０Ｂの状態を表示する方法は、単独の装置によって実行されるものに限定されず、複数の装置の機能が組み合わされることによって実行されてもよい。
【００５３】
図２は、外部表示器８０によって実行される水位表示処理の一例を示すフローチャートである。この処理は、外部表示器８０と給水装置１０との通信が確立された状態で、ユーザが外部表示器８０を操作して受水槽１１０Ａ、１１０Ｂの水位表示を指示したときに、所定のタイミング毎（例えば数ｍｓｅｃ〜数百ｍｓｅｃ毎、数秒毎など）に実行される。
【００５４】
水位表示処理が実行されると、外部表示器８０は、受水槽方式（水槽方式）と、受水槽１１０Ａ、１１０Ｂの水位と、を取得する（ステップ：Ｓ１２）。外部表示器８０によるＳ１２の処理は、給水装置１０から情報を受信することにより行われる。本実施形態では、外部表示器８０は、受水槽方式として設定コードＰ１０（受水槽設定）の値を取得する。なお、一般に受水槽方式は一度設定されるとその後に変更されるものではないため、外部表示器８０は、給水装置１０から受水槽方式を、水位表示の画面起動時に一度だけ受信して図示しない記憶部に記憶し、以降は自身の記憶部を参照することによって受水槽方式を取得してもよい。また、受水槽１１０Ａ、１１０Ｂの水位情報については、外部表示器８０は、給水装置１０の制御部４０から電極式レベルスイッチ１２０Ａおよび／または１２０Ｂによる水位レベルに基づく水位の検出信号（例えば、満水レベル以上または未満、減水レベル以上または未満、渇水レベル以上または未満等）を取得するとよい。
【００５５】
続いて、外部表示器８０は、取得した受水槽方式を模した水槽方式グラフィックと、水位情報を表示するための水位表示と、を併せて表示操作部８０Ａに表示する。（ステップ：Ｓ１４）
【００５６】
ここで、外部表示器８０が、取得した受水槽方式を模した水槽方式グラフィックを表示する方法を説明する。図２Ａに示すように、本実施形態では、外部表示器８０の記憶部８０Ｂ（図１Ａ参照）に、設定コードＰ１０の値に対応する水槽方式グラフィック群１１２０Ｘ（図中、１１２０ａ〜１１２０ｊ等）が予め記憶されている。具体的には、記憶部８０Ｂには、Ｐ１０の設定値群Ｐ１０Ｘと、水槽方式グラフィック群１１２０Ｘと、当該Ｐ１０Ｘの各値と水槽方式グラフィック群１１２０Ｘの各図の関係性を示すリレーション群Ｐ１０Ｘ１が記憶されている。そして、外部表示器８０は、水槽方式グラフィック群１１２０Ｘの中からリレーション群Ｐ１０Ｘ１にて設定コードＰ１０と関連付けられた図を水槽方式グラフィックとして選択し、当該選択された水槽方式グラフィックを表示操作部８０Ａの水槽方式グラフィック部１１２０に表示する。
【００５７】
また、外部表示器８０が、取得した受水槽方式を模した水槽方式グラフィックを表示する方法の一実施形態では、外部表示器８０は、設定コードＰ１０に含まれる受水槽コード、水位計コード、電磁弁コード並びに市水流入弁制御コードのそれぞれに対応したグラフィック群を有し、取得した設定コードＰ１０より当該グラフィック群の中から選択されたグラフィックの組み合わせにて水槽方式グラフィック群１１２０Ｘを作画してもよい。
【００５８】
また、外部表示器８０が、取得した受水槽方式を模した水槽方式グラフィックを表示する方法の一実施形態では、外部表示器８０は、設定コードＰ１０の値に基づいて図１１２０ａ〜１１２０ｊのうち何れかを水槽方式グラフィックとして作画するプログラムを記憶部８０Ｂに予め記憶しており、設定コードＰ１０の取得時に当該プログラムを実行して、作画した水槽方式グラフィックを表示操作部８０Ａの水槽方式グラフィック部１１２０に表示する。
【００５９】
このように、外部表示器８０に設定コードＰ１０の値に対応する図１１２０ａ〜１１２０ｊや図１１２０ａ〜１１２０ｊを作図するプログラムを有することで、例えば、給水装置１０の運転を継続しながら、外部表示器８０は、外部のネットワークを介して外部表示器８０に水槽方式グラフィック群１１２０Ｘに図を追加変更したり、水槽方式グラフィッ
ク群１１２０Ｘの図を作図するプログラムを追加変更することできる。給水装置１０はライフラインであり、運転を停止すると断水となってしまうため、給水装置１０の運転を継続しつつ外部表示器８０にて水槽方式グラフィックの変更や水槽方式の追加ができれば、ユーザは、常時、最適な表示形式で水槽方式や水位の状態を確認できる。
【００６０】
図３は、ステップ：Ｓ１４にて表示操作部８０Ａに表示される受水槽の状態表示の一例を示す図である。外部表示器８０は、取得した設定コードＰ１０の値を表示する受水槽設定情報部１１１０と、受水槽の数や受水槽に設けられる水位計の検出方法の文字情報を表示する文字情報部１１１１と、取得した受水槽方式を模した水槽方式グラフィックを表示する水槽方式グラフィック部１１２０と、水位を表示（水位表示）するための水位表示部８６と、水位警報表示部１１５０と、受水槽選択表示部１１６０と、受水槽方式選択ボタン１１７０と、有し、設定コードＰ１０の値（受水槽設定情報）、受水槽の数や受水槽に設けられる水位計の検出方法の文字情報、水槽方式グラフィック、水位表示、水位警報、及び受水槽選択表示を併せて表示操作部８０Ａに表示する。
【００６１】
本実施形態では、外部表示器８０は、ひとつの画面に、受水槽設定情報部１１１０、文字情報部１１１１、水槽方式グラフィック部１１２０、水位表示部８６、水位警報表示部１１５０、受水槽選択表示部１１６０、及び受水槽方式選択ボタン１１７０を有する。一実施形態では、外部表示器８０は、複数の画面を有し、ひとつ画面上に少なくとも水槽方式グラフィック部１１２０と、水位表示部８６と、を有すればよく、例えば、他の画面に受水槽設定情報部１１１０、文字情報部１１１１、水位警報表示部１１５０、受水槽選択表示部１１６０、及び受水槽方式選択ボタン１１７０を有してもよい。
【００６２】
本実施形態では、外部表示器８０の記憶部８０Ｂ（図１Ａ参照）に、設定コードＰ１０の値に対応する水槽方式グラフィック群１１２０Ｘ（１１２０ａ〜１１２０ｊ等）が予め記憶されている。しかしながら、一実施形態では、制御部４０の記憶部４１（図１Ａ参照）に、Ｐ１０の設定値群Ｐ１０Ｘと、水槽方式グラフィック群１１２０Ｘと、当該Ｐ１０Ｘの各値と水槽方式グラフィック群１１２０Ｘの関係性を示すリレーション群Ｐ１０Ｘ１とが記憶されており、外部表示器８０は、通信にて設定コードＰ１０の値に対応する水槽方式グラフィックを制御部４０より取得してもよい。また、制御部４０に設定コードＰ１０の値に対応する図１１２０ａ〜１１２０ｊや図１１２０ａ〜１１２０ｊを作図するプログラムを有し、外部表示器８０は、通信にて設定コードＰ１０の値に対応して作図された水槽方式グラフィックを制御部４０より取得してもよい。なお、水槽方式グラフィック群１１２０Ｘには、水槽方式グラフィック部３１２０に示される全てのグラフィック（例えば、後述するグラフィック表示３１０、３２０、３３０、３４０、３５０、４１０、４２０、４３０、４４０、４５０）が含まれることが好ましい。更に、水槽方式グラフィック部３１２０に示される全てのグラフィック（図７、図８参照）、水槽方式グラフィック部５１２０に示される全てのグラフィック（図２１、図２２参照）が含まれてもよい。これにより、どのような水槽方式でも同じアプリケーションにて対応できる。
【００６３】
なお、水槽方式グラフィックとしては、Ｓ１２において取得される受水槽方式を模したグラフィックであればよく、例えば、受水槽一槽式であれば１つの受水槽を模したグラフィックを表示し、受水槽二槽式であれば２つの受水槽を模したグラフィックを表示してもよい。ただし、受水槽二槽式の場合には、第１受水槽モード、又は第２受水槽モードの場合には、選択されている１つの受水槽を模したグラフィックのみを表示するものとしてもよい。また、外部表示器８０は、水位計の方式を取得した場合、水位計の方式を模したグラフィックを水槽方式グラフィック部１１２０として表示するとよい。
【００６４】
このようにして、水槽方式グラフィックとして水位計を模した図が表示される。図１に示す例では、水位計の方式は、５本の電極棒１２１〜１２５を有する電極式レベルスイッ
チ１２０Ａ、１２０Ｂであり、表示操作部８０Ａの水槽方式グラフィック部１１２０には、５本の電極棒１２１〜１２５を模したグラフィック１１２１〜１１２５を含む図が表示される。本実施形態では、各電極棒１２２〜１２５は、その下端が、受水槽１１０Ａ，１２０Ｂの水位の閾値としての水位レベルを画定し、図３において、電極棒１２２〜１２５を模した各グラフィック１１２２〜１１２５の下端は水位レベルに当たる。また、図３に示す例では、グラフィック１１２２〜１１２５の下端から延びて、水位レベルを線（図３に示す例では破線）で示す水位レベル表示部１１２８が併せて示されている。これらのグラフィック１１２２〜１１２５および水位レベル表示部１１２８は、水位レベルを模した水位レベルグラフィックの一例に当たる。更に、水槽方式グラフィック部１１２０は、各電極棒における水位状態に対する制御動作を模した矢印を表示する制御動作矢印部１１３０並びに各水位状態に対する制御動作を表す文字情報部１１４０を有し、各電極棒における水位状態に対する制御動作を模した矢印と各水位状態に対する制御動作を表す文字情報が表示されるとよい。制御動作矢印部１１３０および文字情報部１１４０は、水槽の水位状態に対するポンプ装置の制御動作を示すための制御動作グラフィックの一例に当たる。
【００６５】
なお、本実施形態では、電極式レベルスイッチ１２０Ａが有する全ての電極棒を模したグラフィックが表示されているが、コモン電極棒１２１を省略して表示するなど、一部の電極棒のみが表示されてもよい。
【００６６】
図３は、設定コードＰ１０の値が「９」で第１受水槽モードが選択されているときの受水槽の状態表示の一例を示している。本実施形態で外部表示器８０は、図２のステップＳ１２にて受水槽方式（水槽方式）として、受水槽の数、水位計の方式（電極棒の本数）、市水流入弁１３２Ａ、１３２Ｂの制御方法を含む設定コードＰ１０の値を取得している。そして、図２のステップＳ１４にて、水槽方式グラフィック部１１２０は複数の電極棒を模したグラフィックを表示している。
【００６７】
水槽方式グラフィック部１１２０は、更に、複数の電極棒に基づく検出水位に対する受水槽制御を示す制御動作矢印部１１３０、各水位状態に対する制御動作を表す文字情報部１１４０、満水状態、減水状態、又は渇水状態を示す情報（水位警報表示）を表す水位警報表示部１１５０、受水槽選択の状態を表す水槽制御操作表示部１１６０、設定コードＰ１０の値を表示する受水槽設定情報表示部１１１０、及び設定コードＰ１０の値に対応する制御を簡易的に示す情報表示部１１１１を有する。そして、各表示部には複数の電極棒に基づく検出水位に対する受水槽制御を示す情報、各水位状態に対する制御動作を表す文字情報、水位警報表示、受水槽選択の状態、受水槽設定情報、及び設定コードＰ１０の値に対応する制御を簡易的に示す情報をひとつの画面上の水槽方式グラフィック部１１２０に併せて表示している。
【００６８】
図３に示す例では、ひとつの画面上の水槽方式グラフィック部１１２０に、各電極棒における水位状態に対する制御動作を模した制御動作矢印部１１３０、及び各水位状態に対する制御動作を表す文字情報部１１４０が併せて表示され、複数の電極棒に基づく検出水位に対する受水槽制御が示されている。これにより、給水装置１０に不慣れな操作者でも、現在の設定コードＰ１０の値によって、どの電極棒にてどのような水位警報が出力されるかがひとつの画面上で確認できるため、受水槽制御の確認を容易に行うことができる。
【００６９】
さらに、図３に示す例では、外部表示器８０は、水槽を選択するためのボタン１４４１、及び後述する受水槽設定処理のための受水槽方式選択ボタン１１７０が併せて示されている。なお、受水槽方式選択ボタン１１７０は、特定の権限を有する者に対してのみ表示されるように構成されてもよい。具体的には、操作者は、パスワードの入力等の特定の手順によって受水槽方式選択ボタン１１７０を表示できる。これにより、権限を有さない者が誤って設定変更するのを防ぐことができる。受水槽方式が誤った値に設定変更され、渇
水が誤発報されると給水が停止して水供給先は断水してしまう。また、外部表示器８０は、こうした例に限定されず、上記した情報の少なくとも一部のみを表示してもよいし、さらに異なる情報を併せて表示してもよい。
【００７０】
水位表示は、ステップＳ１２において取得された水位情報をユーザへ示すために表示されるものである。水位表示としては、ユーザが水位情報を認識できるように表示されればよく、種々の態様の表示を採用することができる。
【００７１】
一例として、外部表示器８０は受水槽の水位を模した水位グラフィックを表示する水位グラフィック部８６を有し、水位表示は当該水位グラフィックにて表示されるとよい。図３では、水位グラフィック部８６には、水位グラフィックの一例である太線横棒によって現在の水位情報が表示されている。水位グラフィックは、受水槽１１０Ａの水面を模しており、図３に示す例では、グラフィック１１２３が示す電極棒の下端（開水位以上）とグラフィック１１２４が示す電極棒の下端（閉水位未満）との間に、現在の受水槽１１０Ａの水位があることが示されている。つまり、水位グラフィックは、水位レベルグラフィックの一例であるグラフィック１１２２〜１１２５および水位レベル表示部１１２８を利用して、水位が水位レベル以上か未満かを表示している。このように、水位表示が、水位レベルグラフィックを利用して表示されることにより、現在の水位の状態を視覚的に容易に確認することができる。
【００７２】
外部表示器８０は、水位情報として、制御部４０より下記（１）から（４）の水位レベルに基づく水位を取得（図２のステップＳ１２）した。
（１）満水の水位レベル未満（電極棒１２１と電極棒１２５導通なし）
（２）閉水位レベル未満（電極棒１２１と電極棒１２４導通なし）
（３）開水位レベル以上（電極棒１２１と電極棒１２３導通あり）
（４）渇水の水位レベル以上（電極棒１２１と電極棒１２２導通あり）
よって、図２のステップＳ１４で外部表示器８０は、電極棒１２１と導通ありなしが切り替わる電極棒１２３と電極棒１２４の間に水面があると判断し、水位グラフィック部８６には、電極棒１２３を模したグラフィック１１２３の下端と電極棒１２４を模したグラフィック１１２４の下端との間に水面（水位レベルに基づく水位）を模した太線横棒（水位グラフィック）を表示し、且つ、水位状態は正常状態であると判断する。
【００７３】
また、水位グラフィック部８６は、受信した水位情報に基づいて現在の水位状態が正常状態であるか、満水状態、減水状態、又は渇水状態であるかを判断して表示する水位文字情報部８７を有し、現在の水位情報が正常状態であるか、満水状態、減水状態、又は渇水状態であるかを文字情報として併せて示すとよい。図３では、水位グラフィック部８６の太線横棒と横並びの位置に配置された水位文字情報部８７に「水位（正常）」と表示することで、現在の水位情報が正常状態であることを文字にて示している。外部表示器８０が水位グラフィック部８６に加えて水位文字情報部８７を有し、水位グラフィックと水位文字情報を表示することで、ユーザは、現在の受水槽の水位を、取扱説明書等の紙媒体を用いるよりも的確に認識できる。
【００７４】
ここで、満水、減水、又は渇水など、給水装置１０の表示部４６で表示される情報については、外部表示器８０における表示を給水装置１０における表示と同様の表示にするとよい（図１Ｄ及び図３参照）。つまり、水位警報表示部１１５０は、給水装置１０の表示部４６における水位警報表示部１５０を模したグラフィックとし、水槽制御操作表示部１１６０は、水槽制御操作表示部１６０を模したグラフィックとする。水位警報表示部１１５０には、表示パネル４４の表示ランプＬ１，Ｌ２に模したランプ表示部Ｌ１００１，Ｌ１００２が配置され、水槽制御操作表示部１１６０には、水槽選択ボタン４４１を模したボタン表示１４４１、及び表示パネル４４の表示ランプＬ３，Ｌ４に模したランプ表示部
Ｌ１００３，Ｌ１００４が配置される。具体的には、各ランプ表示部Ｌ１００１，Ｌ１００２，Ｌ１００３，Ｌ１００４の表示は、各表示ランプＬ１，Ｌ２，Ｌ３，Ｌ４が消灯する状態の場合には消灯を示す色（例えば黒）で表示され、表示ランプＬ１，Ｌ２，Ｌ３，Ｌ４が点灯する状態の場合には点灯を示す色（例えば黄）で表示される。こうすれば、特に給水装置１０の表示部４６における表示に慣れている者にとって、外部表示器８０における表示を分かり易くすることができる。
【００７５】
図４は、水位状態が満水状態であるときの受水槽の状態表示の一例を示す図である。外部表示器８０は、受水槽１１０Ａの水位状態が満水状態である、つまり電極式レベルスイッチ１２０Ａの電極棒１２５が水に浸かっているという水位情報を取得している。この場合には、図４に示すように、水位グラフィック部８６は、電極棒１２５の下端よりも上側に太線横棒が示される。
【００７６】
外部表示器８０は、水位情報として、制御部４０より下記（１）から（４）の水位レベルに基づく水位を取得（図２のステップＳ１２）した。
（１）満水の水位レベル以上（電極棒１２１と電極棒１２５導通あり）
（２）閉水位レベル以上（電極棒１２１と電極棒１２４導通あり）
（３）開水位レベル以上（電極棒１２１と電極棒１２３導通あり）
（４）渇水の水位レベル以上（電極棒１２１と電極棒１２２導通あり）
よって、図２のステップＳ１４で外部表示器８０は、全ての電極棒が電極棒１２１と導通があるので電極棒１２５の下端以上の高さに水面があると判断し、水位グラフィック部８６には、電極棒１２５を模したグラフィック１１２５の下端よりも上に水面（水位レベルに基づく水位）を模した太線横棒（水位グラフィック）を表示すると共に水位状態が満水状態であると判断する。
【００７７】
ここで、水位グラフィック８６は、水位情報が満水状態であるときに水位情報が正常状態であるときと異なる表示形式とされるとよい。例えば、水位情報が正常状態であるときには、水位グラフィック８６は、第１の表示形式（黒、青、緑などの第１の色、および／または、点灯）で示され、制御部４０より取得した水位情報に基づいた水位状態が満水状態であるときには、水位グラフィック８６が第２の表示形式（赤、黄などの第２の色、および／または、点灯、点滅、拡大表示等の強調表示）で示される。こうすれば、外部表示器８０の表示を見たユーザに、満水状態を容易に知らせることができる。
【００７８】
また、水位グラフィック８６部と横並びに配置された水位文字情報部８７に「水位（満水）」と表示されることで、現在の水位情報が満水状態であることを示している。水位文字情報部８７も水位グラフィック８６における第２の表示のような強調表示を行うとよい。さらに、図４に示す表示器８０では、表示部４６における水位警報表示部１５０並びに水槽制御操作表示部１６０の満水警報を模した水位警報表示部１１５０並びに水槽制御操作表示部１１６０を併せて示している。具体的には、満水警報の発報に伴い、ランプ表示部Ｌ１００１の表示色が、正常状態を示す第１の表示色（例えば黒）から当該第１の表示色と異なる第２の表示色（例えば黄）に変更される。なお、ランプ表示部Ｌ１００１の第２の表示色は、表示パネル４４の表示ランプＬ１と同色であるとよい。こうすれば、特に給水装置１０の表示部４６における表示に慣れている者にとって、外部表示器８０における満水警報の表示を分かり易くすることができる。
【００７９】
図５は、水位情報が渇水状態であるときの受水槽の状態表示の一例を示す図である。外部表示器８０は、受水槽１１０Ａが渇水状態である、つまり電極式レベルスイッチ１２０Ａの電極棒１２２が水から露出しているという水位情報を取得している。この場合には、図５に示すように、水位グラフィック部８６は、グラフィック１１２１の下端とグラフィック１１２２の下端との間に、太線横棒（水位グラフィック）が示される。
【００８０】
外部表示器８０は、水位情報として、制御部４０より下記（１）から（４）の水位レベルに基づく水位を取得（図２のステップＳ１２）した。
（１）満水の水位レベル未満（電極棒１２１と電極棒１２５導通なし）
（２）閉水位レベル未満（電極棒１２１と電極棒１２４導通なし）
（３）開水位レベル未満（電極棒１２１と電極棒１２３導通なし）
（４）渇水の水位レベル未満（電極棒１２１と電極棒１２２導通なし）
よって、図２のステップＳ１４で外部表示器８０は、全ての電極棒が電極棒１２１と導通がないので電極棒１２２の下端以下の高さに水面があると判断し、水位グラフィック部８６は、電極棒１２２を模したグラフィック１１２２の下端よりも下に水面（水位レベルに基づく水位）を模した太線横棒（水位グラフィック）を表示し、水位状態が渇水状態であると判断する。
【００８１】
ここで、外部表示器８０は、制御部４０より取得した水位情報により判断した水位状態がポンプを強制停止させる渇水状態であるときには、水位グラフィック部８６は水位情報が正常状態であるときと異なる表示形式としてもよい。例えば、水位状態が正常状態であるときには、水位グラフィック８６を第１の表示形式（黒、青、緑などの第１の色、および／または、点灯）で示し、水位状態が渇水状態であるときには、水位グラフィック８６を第３の表示形式（赤、黄などの第３の色、および／または、点灯、点滅）で示してもよい。なお、水位状態が渇水状態であるときには、水位状態が満水状態であるときと同一または同様の水位グラフィック部８６の表示を採用してもよいし、異なる水位グラフィック部８６の表示を採用してもよい。また、図５では、水位グラフィック部８６と横並びの位置に配置された水位文字情報部８７には「水位（渇水）」と表示することで、現在の水位状態が渇水状態であることを示している。こうすれば、表示ランプＬ２にて渇水を示すのに比べて、外部表示器８０の表示を見たユーザに、渇水状態を容易に知らせることができる。
【００８２】
さらに、図５の表示器８０では、表示部４６における渇水警報を模した水位警報表示部１１５０並びに水槽制御操作表示部１１６０を併せて示している。具体的には、渇水警報の発報に伴い、ランプ表示部Ｌ１００２の表示色が、正常状態を示す第１の表示色（例えば黒）から当該第１の表示色と異なる第２の表示色（例えば黄）に変更される。なお、ランプ表示部Ｌ１００２の第２の表示色は、表示パネル４４の表示ランプＬ２と同色であるとよい。こうすれば、特に給水装置１０の表示部４６における表示に慣れている者にとって、外部表示器８０における渇水警報の表示を分かり易くすることができる。
【００８３】
また、外部表示器８０は、水位計に異常が生じているときには、水位計の異常を表示してもよい。例えば、外部表示器８０は、取得した水位計による水位状態の検出に矛盾が生じている場合には、水位計に異常が生じていると判断して、水位計の異常を表示するとよい。ただし、外部表示器８０は、給水装置１０の制御部４０から水位計の異常を示す信号を取得できるものとしてもよい。
【００８４】
図６の外部表示器８０は、水位計に異常が生じているときの水槽の状態表示の一例を示す図である。一例として、外部表示器８０は、制御部４０より、電極棒のうち最も低い水位を検出する電極棒１２２が水から露出した渇水状態と、最も高い水位を検出する電極棒１２５が水に浸かっている満水状態と、を同時が発生する、という矛盾した水位情報を取得している。この場合には、図５に示すように、水位グラフィック部８６は、グラフィック１１２５の下端よりも上側に満水状態を示す太線横棒（水位グラフィック）と、グラフィック１１２２の下端よりも下側に渇水状態を示す太線横棒（水位グラフィック）と、が示される。また、外部表示器８０は異常表示部１１８０を有し、当該異常表示部１１８０にて「電極異常」との表示をして、水位計に異常が生じていることが併せて示される。
【００８５】
外部表示器８０は、水位情報として、制御部４０より下記（１）から（４）の水位レベルに基づく水位を取得（図２のステップＳ１２）した。
（１）満水の水位レベル以上（電極棒１２１と電極棒１２５の導通あり）
（２）閉水位レベル以上または未満（電極棒１２１と電極棒１２４の導通あり又は導通なし）
（３）開水位レベル以上または未満（電極棒１２１と電極棒１２３の導通あり又は導通なし）
（４）渇水の水位レベル未満（電極棒１２１と電極棒１２２導通あり）
よって、図２のステップＳ１４で外部表示器８０は、電極棒１２５が電極棒１２１と導通があるため電極棒１２５の下端以上の高さに水面があると判断し、水位グラフィック８６として電極棒１２５を模したグラフィック１１２５の下端よりも上に水面（水位レベルに基づく水位）を模した太線横棒を表示する。さらに、外部表示器８０は、電極棒１２２が電極棒１２１と導通がないので電極棒１２２の下端以下の高さに水面があると判断し、水位グラフィック８６として、電極棒１２２を模したグラフィック１１２２の下端よりも下に水面（水位レベルに基づく水位）を模した太線横棒を更に表示する。
【００８６】
図６に示す例で水位グラフィック部８６はグラフィック１１２５の下端よりも上方とグラフィック１１２２の下端よりも下方の太線横棒にて水面（水位レベルに基づく水位）を示している。こうした表示によって、外部表示器８０は、制御部４０から取得した水位に矛盾が生じていることを示すことができる。
【００８７】
また、水位グラフィック部８６のグラフィック１１２５の下端よりも上方の太線横棒の横並びに配置された水位文字情報部８７には「水位（満水）」、グラフィック１１２２の下端よりも下方の太線横棒の横並びに配置された水位文字情報部８７には「水位（渇水）」が表示されている。こうすれば、ユーザは、どの電極に異常が発生しているかを判断することができる。
【００８８】
なお、図６の外部表示器８０に示す例では、水位警報表示部１１５０に渇水警報と満水警報が併せて示されている。具体的には、満水警報の発報に伴い、ランプ表示部Ｌ１００１の表示色が、正常状態を示す第１の表示色（例えば黒）から当該第１の表示色と異なる第２の表示色（例えば黄）に変更される。また、渇水警報の発報に伴い、ランプ表示部Ｌ１００２の表示色が、正常状態を示す第１の表示色（例えば黒）から当該第１の表示色と異なる第２の表示色（例えば黄）に変更される。なお、ランプ表示部Ｌ１００１の第２の表示色は、表示パネル４４の表示ランプＬ１の点灯時と同色であるとよい。ランプ表示部Ｌ１００２の第２の表示色は、表示パネル４４の表示ランプＬ２の点灯時と同色であるとよい。こうすれば、特に給水装置１０の表示部４６における表示に慣れている者にとって、外部表示器８０における電極異常の表示を分かり易くすることができる。
【００８９】
図７は、受水槽の状態表示の別の一例を示す図である。図７の外部表示器８０では、図３と同様に、受水槽内の水位が、電極棒１２３の下端と電極棒１２４の下端との間に位置している。ただし、図７に示す例では、受水槽内の水に浸かっている電極棒（水面下の電極棒）１２１〜１２３のグラフィック１１２１〜１１２３と、受水槽内の水に浸かっていない、つまり水から露出している電極棒（水面上の電極棒）１２４、１２５のグラフィック１１２４、１１２５とで、表示形式が異なる。換言すれば、外部表示器８０には、水面下の電極棒と水面上の電極棒とを区別して表示されている。図７に示す例では、水面上の電極棒である電極棒１２１〜１２３を示すグラフィック１１２１〜１１２３が第１の電極表示形式（例えば、表示色が青および／または点灯など）で示され、水面上の電極棒である電極棒１２４、１２５を示すグラフィック１１２４、１１２５が第１の色とは異なる第２の電極表示形式（例えば、表示色が緑および／または点滅など）で示されている。この
ように、水面上の電極棒と水面下の電極棒とを区別して表示することにより、特に給水装置１０に不慣れな者にとって、水位計による検出を分かり易く知らせることができる。
【００９０】
図８は、受水槽の状態表示の更に別の一例を示す図である。図８の外部表示器８０に示すように、第１受水槽モード、又は第２受水槽モード、共用の何れである場合にも、水槽方式グラフィック部１１２０は、両方の受水槽１１０Ａ、１１０Ｂを模した水槽方式グラフィック部１１２０Ａ，１１２０Ｂを表示してもよい。
【００９１】
また、図８の外部表示器８０に示すように、外部表示器８０は、水位情報として、受水槽１１０Ａ、１１０Ｂ内の水の量を数字等の文字情報で示す文字情報部８８Ａ，８８Ｂを有し、受水槽１１０Ａ、１１０Ｂ内の水の量を数字等の文字情報で示してもよい。なお、図８に示す例で文字情報部８８（８８Ａ，８８Ｂ）は、満水水位に対する水位の割合（６０％）が表示されているが、こうした例に限定されず、水位の高さ、水量等が数値で示されてもよい。
【００９２】
なお、上記したように、図３〜図８等を参照して説明した受水槽の状態の表示は、給水装置１０の表示部４６にてなされてもよい。この場合には、表示部４６は、記憶部４１の参照、又はＩ／Ｏ部４７を通じた信号の入力によって、受水槽方式（水槽方式）、及び受水槽水位（水槽水位）を取得するとよい（図５、Ｓ１２）。そして、上記した外部表示器８０における表示と同様に、表示部４６においても、水槽方式グラフィック部１１２０と水位表示部８６とは同一画面に配置され、水槽方式グラフィックと水位表示とを併せて表示するとよい（Ｓ１４）。
【００９３】
以上のように、本実施形態では、外部表示器８０又は給水装置１０の制御部４０が、給水装置１０の受水槽方式を取得し、水位計から受水槽１１０Ａ、１１０Ｂの水位を取得する。そして、水槽方式グラフィック部１１２０と水位表示部８６とが同一画面に配置された外部表示器８０及び／又は給水装置１０の制御部４０は、取得した受水槽方式を模した水槽方式グラフィックと、取得した受水槽の水位を示すための水位表示と、を併せて表示する。こうした受水槽の状態表示よれば、受水槽の状態を視覚的に容易に確認することができ、給水装置１０に不慣れな者も受水槽１１０Ａ、１１０Ｂの状態を容易に把握することができる。
【００９４】
また、水位計にて検出された水槽１１０Ａ、１１０Ｂの満水、閉水位、開水位、減水等の水位レベル未満または以上といった水位レベルに基づく水位を取得し、当該水位レベルに基づく水位よって水槽水位制御を行う制御部４０は、水槽１１０Ａ、１１０Ｂの水位を表示する外部表示器８０（表示操作器）と通信する通信部４８を有し、当該通信部４８は、少なくとも水位レベルに基づく水位を含む水位情報を外部表示器８０に送信する。これにより、当該通信部４８と通信する表示操作器は、満水状態、減水状態、渇水状態のみを示す水位警報に比べて、どの電極が水面から露出しているかといった、より詳細な水位情報を取得することができる。また、これにより水位計の配線ミスや電極の異常が発生したときに、その原因となる水位を表示できる。例えば、上述の実施形態に示すように、通信部４８に接続された外部表示器８０が水位レベルに対応した水位表示（例えば、図３から図８の水位表示部８６、水位文字情報部８７での表示）をし、操作者に示すことができる。また、一実施形態では、通信部４８に接続された外部機器によって水位レベルに応じた制御ロジックを組み、当該制御ロジックを制御部４０に組み込んで水槽水位制御の選択肢を増やしてもよい。こうすれば、給水装置１０の運転中に水槽水位制御の変更や追加ができる。
【００９５】
次に、給水装置１０における受水槽方式を設定変更する方法について説明する。以下の説明では、一例として、外部表示器８０を用いて給水装置１０の受水槽方式を設定する方
法を説明する。しかしながら、受水槽方式の設定については、外部表示器８０を使用することなく給水装置１０の運転パネル４４を通じて行われてもよい。換言すれば、運転パネル４４は外部表示器８０と同様の構成を有し、以下に説明する受水槽方式を設定する方法は、ユーザが運転パネル４４を操作することにより実行されてもよいし、ユーザが外部表示器８０を操作することによって実行されてもよい。
【００９６】
図９は、水槽設定処理の一例を示すフローチャートである。水槽設定処理の一例である受水槽設定処理は、例えばユーザが外部表示器８０に対して受水槽方式を設定変更するための予め決められた特定の操作を行うことで開始される。本実施形態では、受水槽方式選択ボタン１１７０が押下されたら、水槽設定処理が開始される。
【００９７】
水槽設定処理が開始されると、まず、表示ステップとして、外部表示器８０が、給水装置１０において選択可能な水槽方式をグラフィック表示する（ステップ：Ｓ２２）。ここで、選択可能な受水槽方式のグラフィック表示は、受水槽のグラフィック表示と、水位計の方式のグラフィック表示との少なくとも一方を含む。一例として、外部表示器８０は、上述の水槽方式グラフィック部１１２０（制御動作矢印部１１３０、文字情報部１１４０）に示したような受水槽方式の一例である設定コードＰ１０に対応する構成を視覚化したものをグラフィック表示する。なお、外部表示器８０は、選択可能な受水槽方式を給水装置１０の制御部４０から受信して表示してもよい。
【００９８】
続いて、入力ステップとして、操作者が、受水槽方式をグラフィック表示している外部表示器８０を操作することによって受水槽方式を選択（入力）する（ステップ：Ｓ２４）。給水装置１０が上記した図１Ｂに示すような多様な使用態様に対応できるように、本実施形態の給水装置１０は、複数（図１Ｂでは１５種）の受水槽方式のうちの何れかひとつを選択し、当該選択された水槽方式に基づいた水位状態を同一画面に表示することができる。そして、本実施形態の方法によれば、選択可能な受水槽方式がグラフィック表示されるので、操作者は、制御動作矢印部１１３０等で水槽制御が可視化されたグラフィック表示を見ながら、当該グラフィック表示と同一の画面上で受水槽方式を選択することができる。このため、給水装置１０に不慣れな者にとっても、容易に受水槽方式を選択することができる。
【００９９】
そして、操作者によって受水槽方式が選択されると、設定ステップとして、外部表示器８０は、操作者による入力に基づいて受水槽方式を設定（ステップ：Ｓ２６）する。次に、受水槽方式含まれる受水槽コード、水位計コード、電磁弁コード並びに市水流入弁制御コード等の全ての設定が完了したか否かを判断し、設定されていない項目があれば（ステップ：Ｓ２８がＮｏ）、表示ステップ（Ｓ２２）に戻り、全ての設定が完了したら（ステップ：Ｓ２８がＹｅｓ）、外部表示器８０は、ステップ：Ｓ２６で設定した受水槽方式を給水装置１０の制御部４０へと送信する（ステップ：Ｓ３０）。制御部４０は、外部表示器８０から受信した受水槽方式に基づいて受水槽制御を行う。なお、本実施形態では、全ての設定が完了したら（ステップ：Ｓ２８がＹｅｓ）、外部表示器８０は、ステップ：Ｓ２６で設定した受水槽方式を給水装置１０の制御部４０へと送信する（ステップ：Ｓ３０）。しかしながら、一実施形態では、設定ステップ（ステップ：Ｓ２６）後に、当該設定された値を制御部４０に送信し、表示ステップ（Ｓ２２）に戻って次の設定を行ってもよい。
【０１００】
以下、図９に示す水槽設定処理の具体的な例を示す。なお、本実施形態では、外部表示器８０が、タッチパネルで構成され、表示操作部８０Ａ上のグラフィック表示を直接押すことによって、操作者がグラフィック表示に対応する受水槽方式の各種設定を選択できるものとしている。ただし、こうした例に限定されず、外部表示器８０は、受水槽方式のグラフィック表示に対応する仮想上の操作ボタンをタッチパネルに設けてもよいし、操作者
が設定値を文字入力や音声入力することで受水槽方式の各種設定を選択してもよい。また、外部表示器８０は、図示しない機械式スイッチを有し、操作者は、外部表示器８０の機械式スイッチを操作して、各種設定を選択するものとしてもよい。
【０１０１】
（受水槽方式の第１の設定手段）
図９Ａは、第１の設定手段による設定処理の一例を示すフローチャートである。図１０Ａ〜図１０Ｄは、受水槽方式の第１の設定手段を説明するための図である。具体的には、外部表示器８０による選択可能な受水槽方式を模したグラフィック表示（図９：ステップＳ２２）と、操作者による選択（図９：ステップＳ２４）と、の第１の例を説明するための図である。
【０１０２】
外部表示器８０による第１の設定手段は、受水槽コードを設定する画面である図１０Ａ、電極コードと電磁弁コードを設定する画面である図１０Ｂまたは図１０Ｃ、市水流入弁制御コードを設定する画面である図１０Ｄにて構成され、図９Ａに示す下記の第１工程、第２工程の順番で設定される受水槽方式の各値に基づいて設定コードＰ１０が設定される。
第１工程：受水槽コードの設定（図９Ａ：ステップＳ４２）
第２工程：電極コードと電磁弁コードとの設定（ステップＳ４４）
更に、第１工程にて設定された受水槽方式が２槽式で第２工程にて設定された市水流入弁方式が電磁弁の場合のみ（ステップＳ４６：Ｙｅｓ）、以下の第３工程が実行される。これは、受水槽方式が１槽式であれば（ステップＳ４６：Ｎｏ）市水流入弁制御コードが「単独」で決定されるので市水流入弁制御コードを設定する必要がなく、市水流入弁方式が電磁弁でなければ（ステップＳ４６：Ｎｏ）市水流入弁制御コードを設定する必要がないことに基づく。
第３工程：市水流入弁制御コードの設定（図９Ａ：ステップＳ４８）
なお、本実施形態では設定コードＰ１０によっては水位計による検出に基づいて市水流入弁１３２Ａ，１３２Ｂが制御される。このため、上記の例では、第２工程にて水位計コードの設定の一例として電極コードと電磁弁コードとを設定している。ただし、こうした例に限定されず、例えば第２工程にて電極コードのみを設定してもよい。なお、第１工程にて設定された受水槽方式が１槽式又は２槽式且つ第２工程にて設定された市水流入弁方式がボールタップの場合は（ステップＳ５６：Ｎｏ）、上述の第３工程が省略され、受水槽方式の第１の設定手段は終了する。
【０１０３】
まず、受水槽方式選択ボタン１１７０が押下される等で受水槽設定処理が開始されると、外部表示器８０は、上述の第１工程（図９Ａ：Ｓ４２）を実施する。まず、第１工程では、表示ステップとして、外部表示器８０は、図１０Ａに示す受水槽コードを設定する画面（受水槽コード設定画面）を表示する（図９：Ｓ２２）。具体的には、外部表示器８０は、受水槽方式のグラフィック表示部２００を有し、選択可能な水槽の数を表示する。具体的には、グラフィック表示部２００には１つの受水槽のグラフィック表示２１０による受水槽一槽式（１槽式）と、２つの受水槽のグラフィック表示２２０による受水槽二槽式（２槽式）と、が表示されている。操作者は、グラフィック表示部２００を見て、給水装置１０に接続される受水槽の数を選択することで受水槽コードの選択ができる。なお、グラフィック表示２１０、２２０は、水槽の数を文字情報として表示する表示部２１１、２２１、並びに、水位計（一例として電極棒）を模したグラフィック部２１２、２２２を備える。これにより操作者の視認性が向上する。
【０１０４】
また、外部表示器８０は、給水装置１０において現在設定されている受水槽方式を強調して示してもよい。本実施形態の給水装置１０では、工場出荷時に設定コードＰ１０が「２」に設定される。そして、図１０Ａに示す例では、設定コードＰ１０が「２」に対応する１槽式のグラフィック表示２１０が強調表示部２０１の一例である太枠で囲まれて強調
表示されている。このように、現在設定されている受水槽方式が強調表示部２０１にて示されることにより、操作者は、現在の受水槽方式を容易に確認することができる。なお、強調表示部２０１は、太枠でもよいし、色や線（実線、点線等）、形状、表示方法（点滅等）にて強調されてもよい。
【０１０５】
次に、第１工程の入力ステップで、操作者は、グラフィック表示２１０または２２０を直接押すことで、受水槽コードの設定を選択できる（図９：ステップＳ２４）。ここで、操作者がグラフィック表示２１０を押すと受水槽コードは１槽式が選択され、操作者がグラフィック表示２２０を押すと受水槽コードは２槽式が選択される。次に、第１工程の設定ステップで外部表示器８０は、当該選択された受水槽コードを設定する（図９：ステップＳ２６）と、第１工程（図９Ａ：Ｓ４２）が終了する。
【０１０６】
次に、受水槽方式の第１の設定手段では、外部表示器８０は、受水槽方式含まれる他の設定を行う（図９：Ｓ２８がＮｏ）第２工程（図９Ａ：Ｓ４４）を実施する。具体的には、外部表示器８０は、第２工程の表示ステップで、電極コードと電磁弁コードを設定する画面（図１０Ｂまたは１０Ｃ）を表示する。第１工程の入力ステップで、操作者がグラフィック表示２１０を選択すると、設定ステップで受水槽コードは１槽式が設定され、次の第２工程の表示ステップでは、図１０Ｂの画面が外部表示器８０に表示される。。一方、第１工程の入力ステップで、操作者がグラフィック表示２２０を選択すると、第２工程の設定ステップで受水槽コードは２槽式が設定され、第２工程の表示ステップでは図１０Ｃの画面が外部表示器８０に表示される。
【０１０７】
図１０Ｂは、第２工程の表示ステップで、図１０Ａにおいて１槽式が選択された際の外部表示器８０の表示の一例を示している。外部表示器８０は、１槽式で選択可能な受水槽方式を模したグラフィック表示部３００を有し、グラフィック表示部２００で操作者によって１槽式が選択されると、１槽式で選択可能な受水槽方式を模したグラフィック表示部３００を表示する。なお、図１０Ａと同様に、図１０Ｂでは、給水装置１０において現在設定されている設定コードＰ１０＝「２」が、強調表示部３０１の太枠で囲まれて強調表示されている。
【０１０８】
図１Ｂに示すように、本実施形態では、設定コードＰ１０＝「１」〜「５」が受水槽一槽式であり、グラフィック表示部３００では、５つの受水槽方式のグラフィック表示３１０、３２０、３３０、３４０、３５０が表示されている。具体的には、設定コードＰ１０＝１に対応したグラフィック表示３１０、設定コードＰ１０＝２に対応したグラフィック表示３２０、設定コードＰ１０＝３に対応したグラフィック表示３３０、設定コードＰ１０＝４に対応したグラフィック表示３４０、設定コードＰ１０＝５に対応したグラフィック表示３５０が表示されている（図９：Ｓ２２）。グラフィック表示３１０は、表示エリア３１１、３１２、３１３、３１４、３１５を有し、表示エリア３１１は設定コードＰ１０の値の文字情報、表示エリア３１２は受水槽コードと電極コードの文字情報、表示エリア３１３は電極棒の模式図（水位レベル表示部（破線）も併せて示されている）、表示エリア３１４は各水位状態に対する制御動作を表す矢印、表示エリア３１５は各水位状態に対する制御動作を表す文字情報を示す。グラフィック表示３２０、３３０、３４０、３５０もグラフィック表示３１０と同様の表示エリア３２１〜３２５、３３１〜３３５、３４１〜３４５、３５１〜３５５を有する。このように、グラフィック表示部３００では、設定コードＰ１０毎の電極棒を模したグラフィックが表示されると共に、複数の電極棒によって検出される水位に応じた受水槽制御に関する情報が併せて示されている。
【０１０９】
そして、第２工程の入力ステップで、操作者は、グラフィック表示部３００を見て、給水装置１０の受水槽方式を選択する。操作者によって、設定コードＰ１０＝１に対応したグラフィック表示３１０、設定コードＰ１０＝２に対応したグラフィック表示３２０、設
定コードＰ１０＝３に対応したグラフィック表示３３０、設定コードＰ１０＝４に対応したグラフィック表示３４０、設定コードＰ１０＝５に対応したグラフィック表示３５０の何れかひとつを選択する操作がなされる（図９：Ｓ２４）と、第２工程の設定ステップで、当該選択された受水槽方式が設定される（図９：Ｓ２６）。ここで、１槽式の場合、市水流入弁制御コードは「単独」のみのため、外部表示器８０は受水槽方式の全ての設定が完了したと判断（図９：Ｓ２８がＹｅｓ、図９Ａ：Ｓ４６がＮｏ）して、図９のステップＳ３０に移行して選択された受水槽方式を給水装置１０へと送信し、給水装置１０において受水槽方式の設定がなされる。また、これにより、図９Ａにおける第１の設定手段による設定処理が終了する。
【０１１０】
図１０Ｃは、第２工程の表示ステップで、図１０Ａにおいて２槽式が選択された際の外部表示器８０の表示の一例を示している。外部表示器８０は、２槽式で選択可能な受水槽方式を模したグラフィック表示部４００を有し、第１工程の設定ステップで２槽式が設定されると（図９Ａ：Ｓ４２）、次の第２工程（図９Ａ：Ｓ４４）の表示ステップでは２槽式で選択可能な受水槽方式を模したグラフィック表示部４００を表示する（図９：Ｓ２２）。図１Ｂに示すように、本実施形態では、設定コードＰ１０＝「７」〜「１１」、「１３」〜「１５」が受水槽二槽式であり、グラフィック表示部４００では、設定コードＰ１０＝７に対応したグラフィック表示４１０、設定コードＰ１０＝８に対応したグラフィック表示４２０、設定コードＰ１０＝９または１３に対応したグラフィック表示４３０、設定コードＰ１０＝１０または１４に対応したグラフィック表示４４０、設定コードＰ１０＝１１または１５に対応したグラフィック表示４５０が表示されている。具体的には、グラフィック表示４１０は、表示エリア４１１、４１２、４１３、４１４、４１５を有し、表示エリア４１１は設定コードＰ１０の値の文字情報、表示エリア４１２は受水槽方式と電極コードの文字情報、表示エリア４１３は電極棒の模式図（水位レベル表示部（破線）も併せて示されている）、表示エリア４１４は各水位状態に対する制御動作を表す矢印、表示エリア４１５は各水位状態に対する制御動作を表す文字情報を示す。グラフィック表示４２０、４３０、４４０、４５０もグラフィック表示４１０と同様の表示エリア４２１〜４２５、４３１〜４３５、４４１〜４４５、４５１〜４５５を有する。このように、グラフィック表示部４００では、設定コードＰ１０毎の電極棒を模したグラフィックが表示されると共に、複数の電極棒によって検出される水位に応じた受水槽制御に関する情報が併せて示されている。そして、操作者は、グラフィック表示を見て、給水装置１０の受水槽方式を選択する（図９：Ｓ２４）。
【０１１１】
第２工程の入力ステップで、操作者は、グラフィック表示４１０、４２０、４３０、４４０、４５０の何れかひとつを直接押すことによって、電極コードおよび電磁弁コードを選択できる（図９：Ｓ２４、図９Ａ：Ｓ４２）。そして、操作者がグラフィック表示４１０を押すと「電極コード＝４本、電磁弁コード＝市水流入方式ボールタップ」が選択され、操作者がグラフィック表示４２０を押すと「電極コード＝５本、電磁弁コード＝市水流入方式ボールタップ」が選択され、操作者がグラフィック表示４３０を押すと「電極コード＝５本、電磁弁コード＝市水流入方式電磁弁」が選択され、操作者がグラフィック表示４４０を押すと「電極コード＝４＋３本、且つ、電磁弁コード＝市水流入方式電磁弁」が選択される。操作者がグラフィック表示４５０を押すと「電極コード＝５＋３本、且つ、電磁弁コード＝市水流入方式電磁弁」が選択される。そして、第２工程の設定ステップで、当該選択された電極コードと電磁弁コードが設定（図９：ステップＳ２６）される。
【０１１２】
なお、本実施形態では、設定コードＰ１０の値が「９」〜「１１」場合と、「１３」〜「１５」の場合とでは、市水流入弁１３２Ａ、１３２Ｂの制御方法のみが異なり、受水槽の数及び電極棒の数（電極コード）は同一である。このため、第２工程の設定ステップで、設定コードＰ１０の値として「９」〜「１１」、「１３」〜「１５」が設定される場合には、第２工程で操作者が図１０Ｃにて対応する受水槽方式を選んだ後に、外部表示器８
０は第３工程を実施して市水流入弁１３２Ａ、１３２Ｂの制御方式である市水流入弁制御コードを設定する必要がある。そのため、外部表示器８０は、第２工程の後、図９：ステップＳ２８がＮｏとなって、第３工程の表示ステップである市水流入弁１３２Ａ、１３２Ｂの制御方式を表示する画面に移行する。つまり、上記したように、第１工程にて受水槽方式として２槽式が選択され且つ第２工程にて市水流入弁方式として電磁弁が設定されると（図９Ａ：Ｓ４６がＹｅｓ）、市水流入弁制御コードを設定するための第３工程の処理へと移行する（図９Ａ：Ｓ４８）。具体的には、第２工程の図１０Ｃにおいて、操作者がグラフィック表示４３０、４４０、４５０のうちの何れかを選択したら、外部表示器８０は、次に第３工程へと移行して、表示ステップにて市水流入弁１３２Ａ、１３２Ｂの制御方式を選択する図１０Ｄのグラフィック表示５００を表示する。一方、第２工程の図１０Ｂにおいて、操作者によってグラフィック表示４１０または４２０（設定コードＰ１０＝「７」又は「８」）が選択されたときには、第２工程が終了後、図９：Ｓ２８がＮｏとなり、外部表示器８０は、図９のステップＳ３０に移行して、設定された受水槽方式を給水装置１０へと送信し、給水装置１０においても受水槽方式の設定がなされる。また、このときには、市水流入弁方式が電磁弁ではないと判断され（図９Ａ：Ｓ４６がＮｏ）、第１の設定手段による設定処理が終了する。
【０１１３】
図１０Ｄは、第２工程である図１０Ｃにおいて、グラフィック表示４５０（設定コードＰ１０＝「１１」「１５」）が選択された際の第３工程の表示ステップにおける外部表示器８０の表示の一例を示している。第３工程における表示ステップでは、外部表示器８０は、市水流入弁１３２Ａ、１３２Ｂの制御方法を選択するための表示をするグラフィック表示部５００を有し、市水流入弁１３２Ａ、１３２Ｂの制御方法を選択するためのグラフィック表示をする。図１０Ｄに示す例では、市水流入弁１３２Ａまたは１３２Ｂを単独で開閉させるか、又は交互に開閉させるかを選択するためのボタン５１０、５２０が表示されている。また、グラフィック表示部５００には、図１０Ｃにて選択されたグラフィック表示４５０と同様の表示であるグラフィック表示５３０が表示されるとよい。そして、第３工程における入力ステップでは、操作者によって、ボタン５１０または５２０の何れかひとつが選択される。そして、第３工程における設定ステップで外部表示器８０は、当該選択された市水流入弁１３２Ａ、１３２Ｂの制御方法を設定する。更に、図９のステップＳ３０に移行して、対応する受水槽方式を給水装置１０へと送信し、給水装置１０において受水槽方式の設定がなされる。
【０１１４】
（受水槽方式の第２の設定手段）
図９Ｂは、第２の設定手段による設定処理の一例を示すフローチャートである。図１１は、受水槽方式の第２の設定手段を説明するための図である。具体的には、外部表示器８０による選択可能な受水槽方式を模したグラフィック表示（図９：ステップＳ２２）と、操作者による選択（図９：ステップＳ２４）と、の第２の例を説明するための図である。
【０１１５】
外部表示器８０による第２の設定手段は、受水槽コード、電極コード、電磁弁コードを設定する画面である図１１と市水流入弁制御コードを設定する画面である図１０Ｄにて構成され、下記の第１工程で設定される受水槽方式の各値に基づいて設定コードＰ１０が設定される。
第１工程：受水槽コードと電極コードと電磁弁コードの設定（図９Ｂ：ステップＳ５２）
更に、第１工程にて設定された受水槽方式が２槽式で市水流入弁方式が電磁弁の場合のみ（ステップＳ５６：Ｙｅｓ）、以下の第２工程が実行される。これは、受水槽方式が１槽式であれば（ステップＳ５６：Ｎｏ）市水流入弁制御コードが「単独」で決定されるので市水流入弁制御コードを設定する必要がなく、市水流入弁方式が電磁弁でなければ（ステップＳ５６：Ｎｏ）市水流入弁制御コードを設定する必要がないことに基づく。
第２工程：市水流入弁制御コードの設定（図９Ｂ：ステップＳ５８）
なお、第１工程にて設定された受水槽方式が１槽式又は２槽式且つ市水流入弁方式がボールタップの場合は（ステップＳ５６：Ｎｏ）、上述の第２工程が省略され、受水槽方式の第２の設定手段は終了する。
【０１１６】
受水槽方式選択ボタン１１７０が押下される等で受水槽設定処理が開始されると、外部表示器８０は、第１工程（図９Ｂ：５２）を実施する。第１工程では、表示ステップとして、外部表示器８０は、図１１に示す受水槽コードと電極コードと電磁弁コードを設定する画面を表示する（図９：Ｓ２２）。具体的には、外部表示器８０は、グラフィック表示部６００を有し、受水槽方式に含まれる設定のうち、市水流入弁制御コードを除く受水槽コード、電極コード、電磁弁コードの値を組み合わせた構成を示すグラフィック表示をグラフィック表示部６００に表示している。グラフィック表示部６００では、図１０Ｂに示すグラフィック表示３１０〜３５０と、図１０Ｃに示すグラフィック表示４１０〜４５０とを、併せて示している。図１１で、図１０Ａ〜１０Ｄのグラフィック表示と同じグラフィック表示は、図１０Ａ〜１０Ｄと同一の符号を付している。なお、図１１では、給水装置１０において現在設定されている設定コードＰ１０＝「２」が、強調表示部２０１と同様の強調表示部６０１で強調表示されている。
【０１１７】
図１１に示すグラフィック表示部６００は、１槽式で選択可能な５つの受水槽方式のグラフィック表示３１０〜３５０、及び２槽式で選択可能な５つの水槽方式グラフィック表示４１０〜４５０を表示する（図９のステップＳ２２）。また、一例として、グラフィック表示３１０は、表示エリア３１１、３１２、３１３、３１４、３１５を有し、表示エリア３１１は設定コードＰ１０の値の文字情報、表示エリア３１２は受水槽方式と電極棒の数の文字情報、表示エリア３１３は電極棒の模式図、表示エリア３１４は各水位状態に対する制御動作を表す矢印、表示エリア３１５は各水位状態に対する制御動作を表す文字情報を示す。グラフィック表示３２０〜３５０，４１０〜４５０もグラフィック表示３１０と同様の表示エリア３２１〜３２５，３３１〜３３５，３４１〜３４５，３５１〜３５５，４１１〜４１５，４２１〜４２５，４３１〜４３５，４４１〜４４５，４５１〜４５５を有する（図１０Ａ，図１０Ｂ参照。図１１では符号省略）。
【０１１８】
次に、第１工程の入力ステップで、操作者は、グラフィック表示３２０〜３５０，４１０〜４５０を直接押すことで、受水槽コードと電極コードと電磁弁コードとを選択できる（図９：ステップＳ２４）。ここで、図１１に示すグラフィック表示部６００のグラフィック表示３１０〜３５０，４１０，４２０のうちの何れかが操作者によって選択（図９のステップＳ２４）されたときには、受水槽方式が１槽式であるか又は市水流入弁が電磁弁ではないかの何れかであって市水流入弁制御コードを設定する必要がないため（図９Ｂ：Ｓ５６：Ｎｏ）、第１工程の設定ステップで、設定コードＰ１０＝「１」〜「５」、「７」、又は「８」に設定され第１工程が終了する。そして、第２工程を省略すべく図９のステップＳ２８がＹｅｓとなり、外部表示器８０は、図９のステップＳ３０に移行して、選択された受水槽方式を給水装置１０へと送信し、給水装置１０において受水槽方式の設定がなされる。
【０１１９】
また、第１工程の入力ステップで、図１１に示すグラフィック表示部６００のグラフィック表示４３０〜４５０（設定コードＰ１０＝「９」〜「１１」、「１３」〜「１５」）のうちの何れかが選択（図９のステップＳ２４）されたときには、第１工程の設定ステップで当該選択された値を設定し、次に、図９のステップＳ２８がＮｏとなり、第２工程に移行する。第２工程では、市水流入弁制御コードが選択されるため、第１の設定手段の第３工程と同様に、図１０Ｄと同様の表示（図９のステップＳ２４）をして、市水流入弁１３２Ａ、１３２Ｂの制御方法を選択（図９のステップＳ２４）させる。つまり、第１工程にて受水槽方式として２槽式が選択され且つ市水流入弁方式として電磁弁が設定されると（図９Ｂ：Ｓ５６がＹｅｓ）、市水流入弁制御コードを設定するための処理へと移行する
（図９Ｂ：Ｓ５８）。そして、操作者によって、市水流入弁１３２Ａ、１３２Ｂの制御方法が選択されると（図９Ｂ：Ｓ５８）、図９のステップＳ２８がＹｅｓとなり、外部表示器８０は、図９のステップＳ３０に移行して、対応する受水槽方式を給水装置１０へと送信し、給水装置１０において受水槽方式の設定がなされる。
【０１２０】
図１１に示すグラフィック表示部６００では、図１０Ｂと同様に、市水流入弁１３２Ａ、１３２Ｂの制御方法のみが異なる受水槽方式については同一のグラフィック表示をしている（グラフィック表示４３０〜４５０参照）。しかしながら、一実施形態では、市水流入弁１３２Ａ、１３２Ｂの制御方法のみが異なる受水槽方式についても別々のグラフィック表示をしてもよい。具体的には、グラフィック表示部６００に、設定コードＰ１０＝「１」〜「１５」の構成を模したグラフィックを表示する。
【０１２１】
（受水槽方式の第３の設定手段）
図９Ｃは、第３の設定手段による設定処理の一例を示すフローチャートである。図１２Ａ、図１２Ｂは、受水槽方式の第３の設定手段を説明するための図である。具体的には、外部表示器８０による選択可能な受水槽方式を模したグラフィック表示（図９：ステップＳ２２）と、操作者による選択（図９：ステップＳ２４）と、の第３の例を説明するための図である。
【０１２２】
外部表示器８０による第３の設定手段は、電極コードと電磁弁コードを設定する画面である図１２Ａ、受水槽コードを設定する画面である図１２Ｂ、市水流入弁制御コードを設定する画面である図１０Ｄにて構成され、下記の第１工程、第２工程の順番で設定される受水槽方式の各値に基づいて設定コードＰ１０が設定される。
第１工程：電極コードと電磁弁コードとの設定（図９Ｃ：ステップＳ６２）
第２工程：受水槽コードの設定（ステップＳ６４）
更に、第２工程にて設定された受水槽方式が２槽式で第１工程にて設定された市水流入弁方式が電磁弁の場合のみ（ステップＳ６６：Ｙｅｓ）、以下の第３工程が実行される。これは、受水槽方式が１槽式であれば（ステップＳ６６：Ｎｏ）市水流入弁制御コードが「単独」で決定されるので市水流入弁制御コードを設定する必要がなく、市水流入弁方式が電磁弁でなければ（ステップＳ６６：Ｎｏ）市水流入弁制御コードを設定する必要がないことに基づく。
第３工程：市水流入弁制御コードの設定（ステップＳ６８）
【０１２３】
まず、受水槽方式選択ボタン１１７０が押下される等で受水槽設定処理が開始されると、外部表示器８０は、上述の第１工程（図９Ｃ：Ｓ６２）を実施する。まず、第１工程では、表示ステップとして、外部表示器８０は、図１２Ａに示す電極コードと電磁弁コードを設定する画面を表示する（図９：Ｓ２２）。具体的には、外部表示器８０はグラフィック表示部８００を有し、まず、受水槽方式のグラフィック表示部８００に選択可能な水位計の方式（電極コードと電磁弁コード）をグラフィック表示する（図９：ステップＳ２２）。グラフィック表示部８００には、電極コードが「４本」で且つ電磁弁コードが「市水流入弁方式ボールタップ」の構成を模したグラフィック表示８１０と、電極コードが「４本」で且つ電磁弁コードが「市水流入弁方式電磁弁」の構成を模したグラフィック表示８２０と、電極コードが「５本」で且つ電磁弁コードが「市水流入弁方式ボールタップ」の構成を模したグラフィック表示８３０と、電極コードが「５＋３本」で且つ電磁弁コードが「市水流入弁方式電磁弁」の構成を模したグラフィック表示８４０と、電極コードが「５本」で且つ電磁弁コードが「市水流入弁方式電磁弁」の構成を模したグラフィック表示８５０と、が表示されている。なお、図１２Ａでは、給水装置１０において現在設定されているグラフィック表示８３０が、強調表示部２０１と同様の強調表示部８０１で強調表示されている。
【０１２４】
なお、グラフィック表示８１０は、水位計の方式（一例として電極棒の数）を文字情報として表示する表示エリア８１２、水位計（一例として電極棒）の機器構成を模した表示エリア（水位レベル表示部（破線）も併せて示されている）８１３、各水位状態に対する制御動作を矢印で表す表示エリア８１４、及び各水位状態に対する制御動作を文字情報で表す表示エリア８１５を有する。グラフィック表示８２０〜８５０もグラフィック表示８１０と同様の表示エリア８２２〜８２５、８３２〜８３５、８４２〜８４５、８５２〜８５５を有する。次に、第１工程の入力ステップで、操作者は、グラフィック表示部８００を見て、水位計の方式のうち何れかひとつを選択する（図９：ステップＳ２４）。具体的には、操作者は、グラフィック表示８１０〜８５０のうちの何れかひとつを押す。次に、第１工程の設定ステップで外部表示器８０は、当該選択された電極コードおよび電磁弁コードを設定する（図９：ステップ２６）と、第１工程（図９Ｃ：Ｓ６２）が終了する。
【０１２５】
次に、受水槽方式の第２の設定手段では、外部表示器８０は、受水槽方式に含まれる他の設定を行う（図９：Ｓ２８がＮｏ）第２工程（図９Ｃ：Ｓ６４）を実施する。具体的には、外部表示器８０は、第２工程の表示ステップで、受水槽コードを設定する画面（図１２Ｂ）を表示する。
【０１２６】
図１２Ｂでは、第２工程の表示ステップで、図１２Ａにおいて、グラフィック表示８３０が選択された場合の表示の一例を示している。ここで、本実施形態の給水装置１０は、いずれの水位計の方式に対しても、受水槽一槽式と受水槽二槽式とを選択することができる。このため、グラフィック表示部９００は、図１２Ａにおいて操作者が選択した水位計の方式に対応した１つの受水槽のグラフィック表示９１０による１槽式と、２つの受水槽のグラフィック表示９２０による２槽式と、が表示される。
【０１２７】
なお、グラフィック表示９１０は、設定コードＰ１０の値を文字情報で表す表示エリア９１１、受水槽方式と電極の数を文字情報で表す表示エリア９１２、水位計（一例として電極棒）を模したグラフィック表示をする表示エリア（水位レベル表示部（破線）も併せて示されている）９１３、各水位状態に対する制御動作を矢印で表す表示エリア９１４、及び各水位状態に対する制御動作を文字情報で表す表示エリア９１５を有する。グラフィック表示９２０も、グラフィック表示９１０と同様に、表示エリア９２１〜９２５を有する。そして、操作者は、第２工程の入力ステップで、グラフィック表示部９００を見て、受水槽の数を選択する。
【０１２８】
第２工程の入力ステップで、操作者によって、グラフィック表示９１０が選択される（図９：Ｓ２４、図９Ｃ：Ｓ６４）と、第２工程の設定ステップで、外部表示器８０は、対応する受水槽方式を給水装置１０へと送信し、給水装置１０において受水槽方式の設定がなされる。この場合には、第２工程の終了後、図９：Ｓ２８がＮｏとなり、外部表示器８０は、図９のステップＳ３０に移行して、設定された受水槽方式を給水装置１０へと送信し、給水装置１０においても受水槽方式の設定がなされる。また、このときには、受水槽方式が２槽式ではないと判断され（図９Ｃ：Ｓ６６がＮｏ）、第３の設定手段による設定処理が終了する。一方、第２工程の入力ステップで、操作者によって、グラフィック表示９２０が選択（図９：Ｓ２４、図９Ｃ：Ｓ６４）されたときには、外部表示器８０は、第３工程を実施して市水流入弁１３２Ａ、１３２Ｂの制御方式である市水流入弁制御コードを設定する必要がある。そのため、外部表示器８０は、第２工程の後、図９：ステップＳ２８がＮｏとなって、第３工程の表示ステップである市水流入弁１３２Ａ、１３２Ｂの制御方式を表示する画面に移行する。つまり、上記したように、第２工程にて受水槽方式として２槽式が選択され且つ第１工程にて市水流入弁方式として電磁弁が設定されると（図９Ｃ：Ｓ６６がＹｅｓ）、市水流入弁制御コードを設定するための第３工程の処理へと移行する（図９Ｃ：Ｓ６８）。具体的には、第２工程の図１２Ｂにおいて、操作者がグラフィック表示９２０を選択したら、外部表示器８０は、次に第３工程へと移行して、表示ス
テップにて市水流入弁１３２Ａ、１３２Ｂの制御方式を選択する図１０Ｄと同様の表示（図９：Ｓ２４）をする。そして、第３工程の入力ステップで、市水流入弁１３２Ａ、１３２Ｂの制御方法を選択（図９のステップＳ２４）させる。そして、操作者によって、市水流入弁１３２Ａ、１３２Ｂの制御方法が選択されると、第３工程における設定ステップで外部表示器８０は、当該選択された市水流入弁１３２Ａ、１３２Ｂの制御方法を設定する。更に、図９のステップＳ２８がＹｅｓとなり、外部表示器８０は、図９のステップＳ３０に移行して、対応する受水槽方式を給水装置１０へと送信し、給水装置１０において受水槽方式の設定がなされる。
【０１２９】
図１２Ａに示すグラフィック表示部６００では、図１０Ｂと同様に、市水流入弁１３２Ａ、１３２Ｂの制御方法のみが異なる受水槽方式については同一のグラフィック表示をしている（グラフィック表示８１０〜８５０参照）。しかしながら、一実施形態では、市水流入弁１３２Ａ、１３２Ｂの制御方法が異なる受水槽方式についても別々のグラフィック表示をしてもよい。
【０１３０】
上述した受水槽方式の第１〜第３の設定手段において、外部表示器８０は、操作者による受水槽方式の設定が完了したときには、設定された受水槽方式をグラフィック表示するとよい。更に、外部表示器８０は、図９のステップＳ３０で受水槽方式を給水装置１０へと送信した後に、制御部４０に正しい値が設定されているか否かを確認するために制御部４０に設定された受水槽方式を受信して当該受信した受水槽方式に対応するグラフィック表示するとよい。こうすれば、操作者は、設定した受水槽方式を視覚的に確認することができ、受水槽方式の誤設定を抑制できる。また、設定された受水槽方式をグラフィック表示するときには、水位計から受水槽の水位情報を取得して、図４〜図８等を参照して説明したように、受水槽方式を模した水槽方式グラフィック部１１２０と、水位情報を示すための水位表示部８６と、を併せて表示するとよい。こうすれば、水位計の検出に矛盾が生じている場合などに例えば図６に示すように電極異常部１１８０に「電極異常」と表示されるので、操作者は、受水槽方式の設定ミスや、複数の電極棒と給水装置１０との電気接続の誤りを知ることができる。
【０１３１】
なお、上記したように、図１０Ａ〜図１２Ｂ等を参照して説明した受水槽方式のグラフィック表示は、給水装置１０の表示部４６にてなされてもよい。この場合には、操作者は、表示部４６のグラフィック表示を見ながら、給水装置１０の設定部４５を操作して、給水装置１０の受水槽方式を設定すればよい。
【０１３２】
上述の水位計の方式を模したグラフィックとしては、受水槽１１０Ａ、１１０Ｂに設けられている水位計の方式に基づいて決定されればよく、複数の電極棒を模したグラフィックに限定されない。具体的には、受水槽方式に含まれる水位計コードに基づいて水位計の方式を模したグラフィックが決定されるとよい。一例として、記憶部４１に記憶された水位計コードが５本の電極棒を有する電極式レベルスイッチを示す値である場合は、図３に示すように、水槽方式グラフィック部１１２０には、５本の電極棒１２１〜１２５を模したグラフィック１１２１〜１１２５を含む図が表示操作部８０Ａに表示され、一方、水位計コードがフロートスイッチを示す値の場合は、図１３に示すように水槽方式グラフィック部１１２０は、水位計の方式を模したグラフィックの表示として、フロートスイッチ１４０Ａ、１４０Ｂを模したグラフィック２１４０を含む図が表示操作部８０Ａに表示されてもよい。
【０１３３】
図１３に示す例では、水槽方式グラフィック部１１２０は、フロートスイッチ１４０Ａ，１４０Ｂの一方を模したグラフィック部２１４０と、水位の閾値である水位レベルを示す水位レベルグラフィック部２１２８（図１３に示す例では実線で示されている）と、フロートスイッチ１４０Ａ，１４０Ｂにおける水位状態に対する制御動作を模した制御動作
矢印部２２３０と、各水位状態に対する制御動作を表す文字情報部２２４０と、受水槽１１０Ａ（１１０Ｂ）の水面を模した水位グラフィックを表示する水位グラフィック部８６とを有し、フロートスイッチ１４０Ａ，１４０Ｂの一方を模したグラフィックと、フロートスイッチ１４０Ａ，１４０Ｂにおける水位状態に対する制御動作を模した矢印と、各水位状態に対する制御動作を表す文字情報と、受水槽１１０Ａ（１１０Ｂ）の水面を模した水位グラフィックと、が示されている。具体的には、図１３に示す例では、フロートスイッチ１４０Ａ，１４０Ｂによって、市水流入弁１３２Ａ、１３２Ｂを開放する開水位レベル、及び市水流入弁１３２Ａ、１３２Ｂを閉止する閉水位レベルが検出されることが示されている。そして、図１３（Ａ）では、現在の受水槽１１０Ａ（１１０Ｂ）の水位が、開水位レベルと閉水位レベルとの間であることが示されている。また、図１３（Ｂ）では、現在の受水槽１１０Ａ（１１０Ｂ）の水位が、開水位レベル未満であることが示されている。この場合には、市水流入弁１３２Ａ（１３２Ｂ）を開とする信号がＯＮされる。さらに、図１３（Ｃ）では、現在の受水槽１１０Ａ（１１０Ｂ）の水位が、閉水位レベルを超えていることが示されている。この場合には、市水流入弁１３２Ａ（１３２Ｂ）を開とする信号がＯＦＦされる（つまり、市水流入弁１３２Ａ、１３２Ｂが閉じられる）。
【０１３４】
（第２の実施形態）
図１４は、第２の実施形態に係る給水システムの一例を示す図である。第２の実施形態の給水システム１０００は、上述した図１Ａの実施形態と同一の構成である給水装置１０を高置水槽方式にて使用する。ただし、第２の実施形態に係る給水装置１０は、上記した運転パネル４４に代えて運転パネル４４Ｃを有するものとする。運転パネル４４Ｃは、水槽制御操作表示部１６０がない等、インターフェイスが細部において運転パネル４４Ｃと異なる。
【０１３５】
本実施形態では、給水装置１０は、その吸込口１０ａと水道本管１００Ｃまたは不図示の受水槽とが連通し、ポンプ２０によって送水された搬送液は、建物５００Ｃの屋上に設置された高置水槽１１０Ｃに貯水され、当該高置水槽１１０Ｃからの落水によって建物５００Ｃ内の給水対象（例えば蛇口）５０１Ｃに給水される。給水装置１０の吐出口１０ｂに接続された給水管１０７には、定水位弁２３２Ｃが設けられている。定水位弁２３２Ｃは給水管１０７の流路を遮蔽可能なバルブであって、高置水槽１１０Ｃの水位が一定範囲内（高置水槽減水以上、満水未満）となるように開閉制御される。例えば、定水位弁２３２Ｃは、電磁弁で構成されており、高置水槽方式の給水装置１０の制御部４０（Ｉ／Ｏ部４７）からの出力信号によって開閉制御される。なお、制御部４０を介さずに定水位弁２３２Ｃの開閉が行われてもよい。
【０１３６】
高置水槽方式で制御部４０はポンプ２０を給水制御する。具体的には、定水位弁２３２Ｃが開かれると、吐出し圧力が低下してポンプ２０が起動する。そして、定水位弁２３２Ｃが閉じると、制御部４０は、ポンプ２０の吐出し流量が過少水量Ｑｍｉｎ未満に至ったことをフロースイッチ２４にて検出し、ポンプ２０を小水量停止する。なお、ポンプ２０が起動した後に、何らかの異常で高置水槽１１０Ｃの水位が閉水位以上となっても定水位弁２３２Ｃが閉じられないと、高置水槽１１０Ｃ内の水が溢れて建物５００Ｃの住居等に二次被害を及ぼしてしまう。そのため、制御部４０は、満水水位状態にてポンプ２０を強制停止してもよい。
【０１３７】
また、制御部４０は、水位計１２０Ｃの信号に基づいて高置水槽１１０Ｃの水位状態を判定し、判定した水位状態に基づいた制御（水槽水位制御）を実行する。当該水槽水位制御には、定水位弁２３２Ｃの開閉制御、定水位弁開または減水水位によるポンプ２０の始動、満水状態によるポンプ２０の強制停止、運転パネル４４Ｃや外部端末８０等への水位（減水，定位水位弁開・閉 ，満水）の表示、及び定水位弁２３２Ｃの開閉信号や水位警報等の外部出力等の少なくともひとつが含まれる。第２の実施形態では、高置水槽１１０
Ｃの水槽水位制御を行うために、設定コードＰ１０の設定値として「３０：定水位弁２３２Ｃの開閉制御あり」、「３１：定水位弁２３２Ｃの開閉制御なし」が予め定められており、設定コードＰ１０の設定に応じて制御部４０は水槽水位制御を実行するものとする。給水装置１０は、設定コードＰ１０の設定値が「３０：定水位弁２３２Ｃの開閉制御あり」または「３１：定水位弁２３２Ｃの開閉制御なし」のとき、高置水槽１１０Ｃの水位の閾値として少なくともひとつの水位レベルを有し、高置水槽１１０Ｃ内の水位が当該水位レベル以上または水位レベル未満かによって判断した水位状態にて水槽水位制御を行う。水位レベルには、水位の低い順に電極式レベルスイッチ１２０Ｃの電極に割り当てられた減水の水位レベル、開水位レベル、閉水位レベル、満水の水位レベルの何れかが含まれる。高置水槽１１０Ｃ内の水位が、水槽水位が不足して断水となるおそれがある減水の水位レベル未満で水位状態を「減水状態」と判断し、水が溢れるおそれがある満水の水位レベル以上となったら水位状態を「満水状態」と判断する。水槽の水位が減水の水位レベル以上満水の水位レベル未満であれば、水位状態は「正常状態」である。また、制御部４０は、水槽水位制御として、開水位レベル未満で定水位弁２３２Ｃを開き、閉水位レベル以上で定水位弁２３２Ｃを閉じるべく開閉指令を定水位弁２３２Ｃへ出力する。
【０１３８】
図１５は、第２の実施形態の運転パネル４４Ｃの一例を示す図である。運転パネル４４Ｃは、図示するように、水位警報表示部１５０Ｃを有している。水位警報表示部１５０Ｃは、表示ランプＬ３１，Ｌ３２を含み、水槽水位制御として、高置水槽１１０Ｃの水位警報を表示ランプＬ３１，Ｌ３２の点灯または点滅によって示すとよい。具体的には、高置水槽１１０Ｃの水位が満水状態となっているときに満水警報として表示ランプＬ３１が点灯する。また、高置水槽１１０Ｃが減水状態となっているときに減水警報として表示ランプＬ３２が点灯する。
【０１３９】
（高置水槽方式の水位表示）
第２の実施形態における高置水槽１１０Ｃの水位表示について説明する。一例として、外部表示器８０は、上記した図２の処理において、受水槽１１０Ａ，１１０Ｂを高置水槽１１０Ｃへと置き換えた処理を実行して、高置水槽１１０Ｃの水位表示を行うとよい。つまり、外部表示器８０は水槽方式グラフィック部３１２０と水位表示部８６を有し、制御部４０より高置水槽１１０Ｃの水槽方式と高置水槽１１０Ｃの水位とを取得し、取得した水槽方式を模した水槽方式グラフィックを水槽方式グラフィック部３１２０に表示し、水位情報を表示するための水位表示を水位表示部８６に表示する。
【０１４０】
図１６、図１７は、高置水槽１１０Ｃの水位表示の一例を示している。ここで、図１６は、水槽設定として制御部４０によって定水位弁制御が行われる設定がなされている場合（設定コードＰ１０の値が「３０」）の一例を示しており、図１７は、水槽設定として制御部４０によって定水位弁制御が行われない設定がなされている場合（設定コードＰ１０の値が「３１」）の一例を示している。なお、上記した第１の実施形態と同様に、外部表示器８０の記憶部８０Ｂの水槽方式グラフィック群１１２０Ｘ並びにリレーション群Ｐ１０Ｘ１の中に、高置水槽１１０Ｃのための設定コードＰ１０の値（設定コードＰ１０の値が「３０」または「３１」）に対応する水槽方式グラフィックが選択可能となるよう予め記憶されているものとする。
【０１４１】
外部表示器８０は、水槽方式グラフィック部３１２０を有し、水位計（一例として複数の電極棒）を模したグラフィックを表示している。グラフィック部３１２０に表示されるグラフィックには、高置水槽１１０Ｃに設けられた複数の電極棒１２１Ｃ〜１２５Ｃを模したグラフィック３１２１〜３１２５と、グラフィック３１２２〜３１２５の下端から延びて、水位レベルを線（図１６、図１７に示す例では破線）で示す水位レベル表示部３１２８と、を含む。また、水槽方式グラフィック部３１２０は、水位計に基づく検出水位に対する水槽水位制御を示す情報３１３０、３１４０、満水、減水、又は渇水を示す情報を
表す水槽警報表示３１５０、設定コードＰ１０の値３１１０、及び設定コードのＰ１０の値に対する制御を簡易的に示す情報３１１１を併せて示している。図１６、図１７に示す例では、各電極棒における水位状態に対する制御動作を模した矢印３１３０、及び各水位状態に対する制御動作を表す文字情報３１４０を使用して、複数の電極棒に基づく検出水位に対する高置水槽１１０Ｃの水槽水位制御が示されている。さらに、図１６、図１７に示す例では、水槽方式（設定コードＰ１０の値）を変更するための設定ボタン３１７０が併せて示されている。なお、設定ボタン３１７０は、特定の権限を有する者に対してのみ表示されるように構成されてもよい。こうした表示により、操作者の視認性が向上する。
【０１４２】
（高置水槽方式の設定手段）
次に、第２の実施形態における高置水槽１１０Ｃの水槽方式の設定手段について説明する。一例として、上記した図９の処理において、受水槽１１０Ａ，１１０Ｂを高置水槽１１０Ｃへと置き換えた処理を実行して、高置水槽１１０Ｃの水槽方式が設定されるとよい。つまり、外部表示器８０は、給水装置１０において選択可能な高置水槽１１０Ｃの水槽方式をグラフィック表示（表示ステップ：図９のステップＳ２２）する。そして、操作者が水槽方式を選択（入力）（入力ステップ：図９のステップＳ２４）し、操作者による入力に基づいて給水装置１０における高置水槽１１０Ｃの水槽方式が設定（設定ステップ：図９のステップＳ２６）される。そして、全ての設定が完了（図９のステップＳ２８がＹｅｓ）したら、制御部４０へ水槽方式を送信する（図９のステップＳ３０）。
【０１４３】
図１８は、高置水槽方式における水槽方式の設定手段を説明するための図である。具体的には、外部表示器８０による選択可能な水槽方式を模したグラフィック表示と、操作者による選択と、の一例を説明するための図である。図１８に示す例では、外部表示器８０は、高置水槽方式における水槽方式の一覧をグラフィック表示するグラフィック表示部３２００を有している。
【０１４４】
外部表示機８０による高置水槽方式での設定手段は、水位計コードを設定する画面である図１８にて構成され、外部表示器８０は、図１６または図１７に示す設定ボタン３１７０が押下されると図１８の画面を表示し、操作者が当該画面に設定入力することで、水位計コードの設定に基づいて設定コードＰ１０が設定される。なお、本実施形態では設定コードＰ１０によっては水位計によって検出される高置水槽１１０Ｃの水位に基づいて定水位弁２３２Ｃの制御が行われる。このため、図１８及び以下の説明では、水位計コードの設定の一例として制御部４０による定水位弁２３２Ｃの制御の有無を設定している。ただし、こうした例に限定されず、例えば電極棒の数に関する電極コードが設定されてもよいし、高置水槽の数に関する水槽コードが設定されてもよい。
【０１４５】
表示ステップで表示された図１８に示すグラフィック表示部３２００は、制御部４０によって定水位弁２３２Ｃの制御が行われる方式を示すグラフィック表示３２１０と、制御部４０によって定水位弁２３２Ｃの制御が行われない方式を示すグラフィック表示３２２０と、を併せて示している。具体的には、グラフィック表示３２１０は、設定コードＰ１０の値の文字情報を示す表示エリア３２１１、高置水槽であることと電極棒の数との文字情報を示す表示エリア３２１３、各水位状態に対する制御動作を表す矢印を示す表示エリア３２１４、各水位状態に対する制御動作を表す文字情報を示す表示エリア３２１５、及び水位レベル表示部（表示エリア３２１２〜３２１５の下端から延びる破線）を有する。グラフィック表示３２２０は、グラフィック表示３２１０と同様に、表示エリア３２２１〜３２２５、及び水位レベル表示部（表示エリア３２２２〜３２２５の下端から延びる破線）を有する。なお、図１８では、給水装置１０において現在設定されている水槽方式に対応したグラフィック表示３２１０が、強調表示部２０１と同様の強調表示部３２０１で強調表示されている。
【０１４６】
入力ステップで、操作者は、こうしたグラフィック表示を見て、高置水槽方式を選択（入力）する。設定ステップで、外部表示器８０は、操作者によって選択された高置水槽方式を給水装置１０へと送信し、給水装置１０において高置水槽方式の設定がなされる。
【０１４７】
なお、上記した高置水槽１１０Ｃの水槽状態の表示、及び高置水槽１１０Ｃの水槽方式の設定については、外部表示器８０を通じて表示および／または設定されるものに限定されず、運転パネル４４を通じて表示および／または設定されてもよい。
【０１４８】
（第３の実施形態）
図１９に示すポンプ部４１００は浄化槽等に用いられる排水設備等で用いられる。排水設備において、汚水の移送や排水のために汚水用の水中ポンプを用いたポンプ装置が用いられている。当該ポンプ装置は、ポンプと、ポンプが設置された水槽内の水位を検知するフロートスイッチと、このフロートスイッチの水位信号に応じてポンプの運転停止を制御（水槽水位制御）する運転制御回路とを備える。
【０１４９】
図１９は、このようなポンプを２台備えたポンプ部４１００を示す模式図である。図２０は、ポンプ部４１００と制御部４１４０を有するポンプ装置４２００を備えた排水設備４０００を示す模式図である。図１９に示すように、ポンプ部４１００は、浄化槽４３００（水槽）内に設置される２台の水中ポンプ４２０１、４２０２を有する。水中ポンプ４２０１は、ケーシング内に不図示の羽根車を備えたポンプ４１０１と当該ポンプを駆動するモータ４１０２と、当該ポンプの運転を制御する運転制御回路４１０３と、運転開始水位ＬＶ１を検出するフロートスイッチ４２１０と、運転停止水位ＬＶ２を検出するフロートスイッチ４２２０とを備えている。水中ポンプ４２０２は、不図示の羽根車を備えたポンプ４１０１と、当該ポンプを駆動するモータ４１０２と、当該ポンプの運転を制御する運転制御回路４１０３と、運転開始水位ＬＶ３を検出するフロートスイッチ４２３０と、運転停止水位ＬＶ４を検出するフロートスイッチ４２４０と、異常水位ＬＶ５を検出するフロートスイッチ４２５０とを備えている。
【０１５０】
運転制御回路４１０３は、一例として、記憶部（不図示）と、演算部（不図示）と、Ｉ／Ｏ部（不図示）と、を備えている。そして、水中ポンプ４２０１の運転制御回路４１０３は、フロートスイッチ４２１０にて測定した水位が運転開始水位レベルＬＶ１以上で、水位状態を運転開始水位状態とし、水中ポンプ４２０１の運転を開始して水槽に貯水された水を搬送し、フロートスイッチ４２２０にて測定した水位が運転停止水位レベルＬＶ２以上で、水位状態を停止水位状態とし運転を停止する。水中ポンプ４２０２の運転制御回路４１０３は、フロートスイッチ４２３０にて測定した水位が運転開始水位ＬＶ３以上の２回に１回の割合で、水位状態を運転開始水位状態とし、水中ポンプ３２０２の運転を開始し、フロートスイッチ４２４０にて測定した水位が運転停止水位ＬＶ４を下回ると運転を停止し、フロートスイッチ４２５０にて測定した水位が異常水位ＬＶ５を上回ると、水位状態を異常増水状態とし、運転を開始する。このような構成により、通常時は水中ポンプ４２０１と水中ポンプ４２０２とが交互に自動運転され、異常水位ＬＶ５を上回ったときに水中ポンプ４２０１と水中ポンプ４２０２が同時に起動される。一実施例の水槽水位制御では、水中ポンプ４２０１と水中ポンプ４２０２に接続されたフロートスイッチは同水位を検出し、水中ポンプ４２０１と水中ポンプ４２０２は同時に運転停止してもよい。本実施形態では、フロートスイッチにて検出される水位とポンプの起動停止の組み合わせが水槽方式となる。このように、運転制御回路４１０３は、水位レベルＬＶ１〜ＬＶ５のうち少なくともひとつを浄化槽４３００の水位の閾値とし、浄化槽４３００水位を計測する水位計であるフロートスイッチから取得した水位が当該水位レベル以上か未満かによって判断した前記水槽の水位状態に基づいて、水中ポンプ４２０１、４２０２の運転停止といった水槽水位制御を行う。
【０１５１】
また、ポンプ装置４２００は、水中ポンプ４２０１と水中ポンプ４２０２と制御装置４１４０とを有し、当該ポンプ装置４２００において、運転制御回路４１０３は、水槽外に設置された制御装置４１４０を介して外部表示器８０と信号のやり取りを行う。制御装置４１４０は、制御部４０と同様に、記憶部４１４１と、演算部４１４２と、Ｉ／Ｏ部４１４７と、運転パネル４１４４と、通信部４１４８と、を備える。制御装置４１４０のＩ／Ｏ部４１４７は無線または有線にて運転制御回路４１０３と接続され、通信部４１４８は無線または有線にて外部表示器８０に接続される。これにより、外部表示器８０はポンプ装置４１００の状態や水槽４３００の水位を表示することができる。このように、制御装置４１４０は、水位レベル以上か未満かによって判断した浄化槽４３００の水位状態に基づいて、運転パネル４１４４や外部表示器８０への水位状態の表示といった水槽水位制御を行う。
【０１５２】
なお、制御装置４１４０は運転制御回路４１０３に代えて水中ポンプ４２０１，４２０２の運転停止を制御してもよい。また、制御装置４１４０を介さずに外部表示器８０と運転制御回路４１０３が直接接続されて信号のやり取りを行ってもよい。第３の実施形態では、水中ポンプ４２０１，４２０２の運転停止にて水中ポンプ４２０１，４２０２の搬送液を貯水する浄化槽４３００の水槽水位制御を行う。よって、本実施形態の水槽方式の各設定に加えて／または代えて、運転方式が含まれ、設定コードＰ１０の設定値として、上述の値に加えて／または代えて、「４０」、「４１」、「４２」が予め定められており、設定コードＰ１０の設定に応じて制御部４１４０は水槽水位制御を実行するものとする。具体的には、ポンプ装置４１００は、設定コードＰ１０の値が４０の時に運転方式を並列交互運転とし、設定コードＰ１０の値が４１の時に運転方式を単独交互運転とし、設定コードＰ１０の値が４２の時に運転方式を単独運転とする。また、本実施形態における水槽水位制御には、運転パネル４１４４や外部表示器８０等への水位の表示、及び水位警報等の外部出力等の少なくともひとつが含まれる。
【０１５３】
（排水ポンプの水位表示）
第３の実施形態における排水設備における浄化槽４３００の水位表示について説明する。一例として、外部表示器８０は、上記した図２の処理において、受水槽１００Ａ，１１０Ｂを浄化槽４３００へと置き換えた処理を実行して、浄化槽４３００の水位表示を行うとよい。つまり、外部表示器８０は、浄化槽４３００の浄化槽方式（水槽方式）と浄化槽４３００の水位とを取得し、取得した水槽方式を模した水槽方式グラフィック部５１２０と、水位情報を表示するための水位表示部８６とを有し、水槽方式グラフィックと水位情報を表示する。
【０１５４】
図２１は、浄化槽４３００の水位表示の一例を示している。ここで、図２１は、水槽設定として、並列交互運転が設定されている場合（設定コードＰ１０の値が「４０」）の一例を示している。なお、上記した第１、第２の実施形態と同様に、外部表示器８０の記憶部８０Ｂには、水槽方式グラフィック群１１２０Ｘ並びにリレーション群Ｐ１０Ｘ１の中に浄化槽４３００のための設定コードＰ１０の値に対応する水槽方式グラフィックが予め記憶されているものとする。
【０１５５】
図２１は、外部表示器８０は、水槽方式グラフィック部５１２０に、水位計（一例として複数のフロートスイッチ）を模したグラフィック、及び水位の閾値である水位レベル（図２１では、ＬＶ１〜ＬＶ５）を示す水位レベルグラフィック部５１２８（図２１に示す例では実線で示されている）を表示している。グラフィック部５１２０に表示されたグラフィックには、水中ポンプ４２０１、４２０２の形状を模したグラフィックと複数のフロートスイッチ４２１０〜４２５０を模したグラフィック５２１０〜５２５０を含む。フロートスイッチ４２１０〜４２５０が検知する水位は水中ポンプの形状に依存するため、本実施形態では、フロートスイッと併せてポンプの形状を模したグラフィックを表示すると
よい。
【０１５６】
また、外部表示器８０は、水位計に基づく検出水位に対する水槽水位制御を示す情報５１３０、５１４０、異常増水を表す水槽警報表示５１５０、設定コードＰ１０の値５１１０、及び設定コードＰ１０の値に対する制御を簡易的に示す情報５１１１を併せて示している。図２２に示す例では、各水位状態に対する制御動作を模した矢印５１３０、及び各水位状態に対する制御動作を表す文字情報５１４０を使用して、複数のフロートスイッチに基づく検出水位に対する浄化槽４３００の水槽水位制御が示されている。こうした表示により、操作者の視認性が向上する。
【０１５７】
（排水ポンプの設定手段）
次に、第３の実施形態における浄化槽４３００の水槽方式の設定手段について説明する。一例として、上記した図９の処理において、受水槽１１０Ａ，１１０Ｂを浄化槽４３００へと置き換えた処理を実行して、浄化槽４３００の水槽方式が設定されるとよい。つまり、外部表示器８０は、表示ステップでポンプ装置４２００において選択可能な水槽方式を模したグラフィック表示（図９のステップＳ２２）をする。そして、入力ステップで、操作者が水槽方式を選択（入力）（図９のステップＳ２４）し、設定ステップで、操作者による入力に基づいて排水設備における浄化槽４３００の水槽方式が設定（図９のステップＳ２６）される。全ての設定が完了（図９のステップＳ２８がＹｅｓ）したら、制御部４０へ水槽方式を送信する（図９のステップＳ３０）。
【０１５８】
図２２は、浄化槽方式における水槽方式の設定手段を説明するための図である。具体的には、外部表示機８０による選択可能な水槽方式を模したグラフィック表示と、操作者による選択と、の一例を説明するための図である。図２２に示す例では、外部表示器８０は、浄化槽方式の一覧をグラフィック表示するグラフィック表示部６２００を有している。
【０１５９】
外部表示機８０による浄化槽方式での設定手段は、浄化槽４３００内に設置されるポンプの台数を示すポンプ台数コードを設定する画面である図２２にて構成され、外部表示器８０は、図２１の設定ボタン３１７０が押下されると図２２の画面を表示し、操作者が当該画面に設定入力することで、ポンプの運転方式の設定に基づいて設定コードＰ１０が設定される。なお、こうした例に限定されず、フロートスイッチに関する水位計コードが設定されてもよいし、浄化槽の数に関する水槽コード等が設定されてもよい。
【０１６０】
図２２に示すグラフィック表示部６２００は、運転方式が１台のポンプ４２０１を備えた単独運転による水槽方式を模したグラフィック表示６２１０、運転方式が２台のポンプ４２０１，４２０２を備えてポンプ４２０１，４２０２が１台ずつ交互に運転される単独交互運転による水槽方式を模したグラフィック表示６２２０、及び運転方式が２台のポンプ４２０１，４２０２を備えて流入量に応じてポンプ４２０１，４２０２を単独または並列運転させる並列交互運転による水槽方式を模したグラフィック表示６２３０が含まれる。また、外部表示器８０は、現在設定されている水槽方式を強調して示してもよい。本実施形態では、グラフィック表示６２３０が強調表示部６２０１の一例である太枠で囲まれて強調表示されている。
【０１６１】
表示ステップで、グラフィック表示６２１０は、浄化槽４３００の水槽方式を簡易的に示す文字情報を表す表示エリア６２１１と、水位計（フロートスイッチ）を模したグラフィックを表す表示エリア６２１２と、水位レベルを示す表示エリア６２１４と、各水位状態に対する制御動作を示す文字情報を表す表示エリア６２１３と、を有する。グラフィック表示６２２０、６２３０もグラフィック表示６２１０と同様の表示エリア６２２１〜６２２４，６２３１〜６２３４を有する。なお、グラフィック表示６２１０〜６２３０は、第１、第２の実施形態と同様に設定コードＰ１０の値の文字情報や、各水位状態に対する
制御動作を表す文字情報などを有してもよい。
【０１６２】
入力ステップで、操作者は、こうしたグラフィック表示を見て、浄化槽方式を選択（入力）する。そして、設定ステップで、外部表示器８０は、操作者によって選択された浄化槽方式を設定し、当該設定した水槽方式を制御部４０へと送信し、制御部４０において浄化槽方式の設定がなされる。
【０１６３】
以上のように、本実施形態では、外部表示器８０、ポンプ装置の制御部（給水装置１０の制御部４０、）またはポンプ装置の運転パネルが、給水装置４０の水槽方式（受水槽方式、高置水槽方式、浄化槽方式を含む）と水槽の水位情報とを取得し、外部表示器８０又は給水装置１０の表示部４６において、水槽方式を模した水槽方式グラフィックと水槽の水位情報を示すための水位表示とを併せて表示する。こうした水槽の状態の表示によれば、水槽の状態を視覚的に容易に確認することができる。
【０１６４】
また、本実施形態では、外部表示器８０又は給水装置１０の表示部４６が、給水装置１０において選択可能な水槽方式（受水槽方式、高置水槽方式、浄化槽方式を含む）をグラフィック表示する。そして、操作者は、グラフィック表示がなされた外部表示器８０又は給水装置１０の設定部４５を操作することにより水槽方式を設定する。こうした水槽方式の設定よれば、外部表示器８０または給水装置１０においてグラフィック表示される選択可能な水槽方式を見て、給水装置１０における水槽方式の設定を容易に行うことができる。
【０１６５】
以上説明した本実施形態は、以下の形態としても記載することができる。
［形態１］形態１によれば、水槽の状態を表示するための表示方法が提案され、前記水槽は、ポンプの搬送液を貯水し、当該水槽の水槽方式と水位とに基づいた水槽水位制御が前記ポンプを備えたポンプ装置によって行われ、前記表示方法は、前記水槽方式を取得するステップと、前記水槽の水位を取得するステップと、を有し、前記取得した前記水槽方式を模した水槽方式グラフィックと、前記取得した前記水槽の水位を示すための水位表示と、を併せて表示する。形態１によれば、水槽方式を模した水槽方式グラフィックと、水槽の水位情報を示すための水位表示と、が併せて表示されるので、水槽の状態を視覚的に容易に確認することができる。
【０１６６】
［形態２］形態２によれば、形態１において、前記水位情報は、前記受水槽の水面を模した水位グラフィックを含む。形態２によれば、水位グラフィックの表示によって、水位情報を視覚的に容易に確認することができる。
【０１６７】
［形態３］形態３によれば、形態１または２において、前記ポンプ装置は、前記水槽方式に基づいた少なくともひとつの水位レベルを前記水槽の水位の閾値とし、前記水槽の水位を計測する水位計から取得した水位が当該水位レベル以上か未満かによって判断した前記水槽の水位状態に基づいて前記水槽水位制御を行い、前記表示方法は、前記水槽の水位を取得するステップで、前記水槽の水位が前記水位レベル以上か未満かを取得し、前記水槽方式グラフィックは、前記水位レベルを模した水位レベルグラフィックを含み、前記水位表示は、前記水位レベルグラフィックを利用して、前記取得した前記水槽の水位が前記水位レベル以上か未満かが表示される。形態３によれば、水位表示が、水位レベルグラフィックを利用して表示されることにより、現在の水位の状態を視覚的に容易に確認することができる。
【０１６８】
［形態４］形態４によれば、形態１から３において、前記水槽方式は、前記水槽の水位を検出する水位計の方式を含み、前記水槽方式グラフィックは、前記水位計を模したグラフィックを含む。形態３によれば、水位計の方式を視覚的に容易に確認することができる。
【０１６９】
［形態５］形態５によれば、形態４において、前記水位計は、複数の電極棒を有するレベルスイッチであって、前記表示方法は、前記複数の電極棒のうちの少なくとも一部の電極棒をグラフィック表示する。形態５によれば、複数の電極棒と、水位表示とが併せて表示されるので、受水槽の状態を視覚的に容易に確認することができる。
【０１７０】
［形態６］形態６によれば、形態５において、少なくとも一部が前記水槽の水面下の電極棒と、全てが水面上の電極棒と、で表示形式が異なる。形態５によれば、少なくとも一部が水槽の水面下の電極棒と、全てが水面上の電極棒と、を視覚的に容易に区別することができる。
【０１７１】
［形態７］形態７によれば、形態４から６において、前記水位計の異常を表示するステップを更に含む。形態６によれば、ユーザに水位計の異常を知らせることができる。
【０１７２】
［形態８］形態８によれば、形態１から７において、前記水位表示は、前記水槽の減水状態、渇水状態、又は満水状態のうち少なくとも１つを示す水位状態の表示を含む。形態８によれば、ユーザに水位状態を知らせることができる。
【０１７３】
［形態９］形態９によれば、形態８において、前記水位表示における水位状態の表示は、前記取得した水位に基づいて判断されて表示される。
【０１７４】
［形態１０］形態１０によれば、形態１から９において、前記ポンプ装置は、前記水槽方式に基づいた少なくともひとつの水位レベルを前記水槽の水位の閾値とし、前記水槽の水位を計測する水位計から取得した水位が当該水位レベル以上か未満かによって判断した前記水槽の水位状態に基づいて前記水槽水位制御を行い、前記表示方法は、前記水位レベルを模した水位レベルグラフィックと、前記水槽の水位状態に対する前記ポンプ装置の制御動作を示すための制御動作グラフィックと、を併せて表示する。形態１０によれば、水位レベルを模した水位レベルグラフィックと、水槽の水位状態に対するポンプ装置の制御動作を示すための制御動作グラフィックと、が併せて示されるので、ポンプ装置の制御動作と併せて水槽の水位状態を容易に確認することができる。
【０１７５】
［形態１１］形態１１によれば、形態１０において、前記制御動作グラフィックは、前記水位レベルに対する前記ポンプ装置の制御動作の変化を矢印で示す制御動作矢印部と、前記水位状態に対する前記ポンプ装置の制御動作を文字情報で示す文字情報部と、の少なくとも一方を含む。形態１１によれば、制御動作矢印部と文字情報部との少なくとも一方を見て、ポンプ装置の動作を容易に確認することができる。
【０１７６】
［形態１２］形態１２によれば、形態１から１１の何れか１つに記載の表示方法を実行可能な表示部を備えるポンプ装置が提案される。かかるポンプ装置によれば、上記した表示方法と同様の効果を奏することができる。
【０１７７】
［形態１３］形態１３によれば、ポンプ装置と、形態１から１２の何れか１つに記載の方法を実行可能な外部表示器と、を備えるポンプシステムが提案される。かかるポンプシステムによれば、外部表示器を利用して上記した方法と同様の効果を奏することができる。
【０１７８】
［形態１４］形態１４によれば、ポンプ装置が提案される。かかるポンプ装置は、ポンプの搬送液を貯水する水槽の水位を、水位の閾値である水位レベル以上または未満として取得し、当該取得した水位に基づいて判断した水位状態によって水槽水位制御を行う制御部を備える。そして、前記制御部は、前記水槽の水位を表示する表示器と通信する通信部を有し、当該通信部は、少なくとも前記水位レベルに基づく水位を含む水位情報を前記表示
器に送信することを特徴とする。形態１４によれば、水位レベルに基づく水位を含む水位情報が表示器に送信されるので、水槽の水位を表示する表示器の表示によって水槽の状態を視覚的に容易に確認することができる。
【０１７９】
［形態１５］形態１５によれば、形態１４において、前記水槽水位制御は、前記制御部に記憶された水槽方式に基づいて実行され、前記通信部は、更に、前記表示器に前記水槽方式を送信する、ことを特徴とする。形態１５によれば、水槽方式が表示器に送信されるので、水槽の水位を表示する表示器に、水槽方式を併せて表示することができ、水槽の状態を視覚的に容易に確認することができる。
【０１８０】
［形態１６］形態１６によれば、形態１５に記載のポンプ装置と通信可能な表示器が提案され、前記表示器は、前記水槽方式に対応する水槽方式グラフィックを表示する水槽方式グラフィック部と、前記水槽方式グラフィック部に表示可能な水槽方式グラフィック群が予め記憶された記憶部と、を有し、前記水槽方式グラフィック群の中から前記ポンプ装置より取得した前記水槽方式に対応する水槽方式グラフィックを選択し、当該選択した水槽方式グラフィックを前記水槽方式グラフィック部に表示する。形態１６によれば、ポンプ装置の水槽方式に対応する水槽方式グラフィックが水槽方式グラフィック部に表示されるので、水槽の状態を視覚的に容易に確認することができる。
【０１８１】
［形態１７］形態１７によれば、水槽の状態を表示するための表示方法が提案され、前記水槽は、ポンプの搬送液を貯水し、当該水槽の水槽方式と水位とに基づいた水槽水位制御が前記ポンプを備えたポンプ装置によって行われ、前記ポンプ装置は、前記水槽方式に基づいた少なくともひとつの水位レベルを前記水槽の水位の閾値とし、前記水槽の水位を計測する水位計から取得した水位が当該水位レベル以上か未満かによって判断した前記水槽の水位状態に基づいて前記水槽水位制御を行い、前記表示方法は、前記水位レベルを模した水位レベルグラフィックと、前記水槽の水位状態に対する前記ポンプ装置の制御動作を示すための制御動作グラフィックと、を併せて表示する。形態１７によれば、水槽の水位レベルを模した水位レベルグラフィックと、水槽の水位状態に対するポンプ装置の制御動作を示すための制御動作グラフィックと、が併せて表示されるので、水槽の状態を視覚的に容易に確認することができる。
【０１８２】
［形態１８］形態１８によれば、形態１７において、前記制御動作グラフィックは、前記水位レベルに対する前記ポンプ装置の制御動作の変化を矢印で示す制御動作矢印部と、前記水位状態に対する前記ポンプ装置の制御動作を文字情報で示す文字情報部と、の少なくとも一方を含む。形態１１によれば、制御動作矢印部と文字情報部との少なくとも一方を見て、ポンプ装置の動作を容易に確認することができる。
【０１８３】
［形態１９］形態１９によれば、水槽に応じた水槽方式を設定するための設定方法が提案され、前記水槽は、ポンプの搬送液を貯水し、当該水槽の水位と水槽方式とに基づいた水槽水位制御が前記ポンプを備えたポンプ装置によって行われ、前記ポンプ装置は表示操作器を介して各種状態の表示および操作がなされ、前記設定方法は、前記表示操作器に、選択可能な水槽方式を模した複数のグラフィックが表示される表示ステップと、操作者が前記複数のグラフィックの中から該当するグラフィックを選択する入力ステップと、前記ポンプ装置に当該選択されたグラフィックに基づいた水槽方式が設定される設定ステップと、を含む。形態１９によれば、ポンプ装置または外部表示器が備える操作表示器においてグラフィック表示される選択可能な水槽方式を見て、ポンプ装置における水槽方式の設定を容易に行うことができる。
【０１８４】
［形態２０］形態２０によれば、形態１９において、前記表示ステップは、前記複数のグラフィックの中で現在設定されている前記水槽方式に対応するグラフィックを強調表示す
るステップを更に含む。形態２０によれば、現在設定されている水槽方式を知らせることができる。
【０１８５】
［形態２１］形態２１によれば、形態１９または２０において、前記ポンプ装置は前記水槽が受水槽である受水槽方式の給水装置であって、前記水槽方式は、受水槽の数を示す受水槽コードと、水位計の方式を示す水位計コードと、を含み、前記設定方法は、前記受水槽コードを設定する第１工程と、前記水位計コードを設定する第２工程と、を有し、前記第１工程は、前記表示ステップで、前記表示操作器に、選択可能な前記受水槽コードを模した複数のグラフィックが表示され、前記入力ステップで、操作者が前記複数のグラフィックの中から該当するグラフィックを選択し、前記設定ステップで、前記ポンプ装置に前記選択されたグラフィックに対応する前記受水槽コードが設定され、前記第２工程は、前記表示ステップで、前記表示操作器に、前記第１工程にて設定された前記受水槽コードに基づいた選択可能な前記水位計コードを模した複数のグラフィックが表示され、前記入力ステップで、操作者が前記グラフィックの中から該当するグラフィックを選択し、前記設定ステップで、前記ポンプ装置に前記選択されたグラフィックに対応する前記水位計コードが設定される。
【０１８６】
［形態２２］形態２２によれば、形態１９または２０において、前記ポンプ装置は前記水槽が受水槽である受水槽方式の給水装置であって、前記水槽方式は、受水槽の数を示す受水槽コードと、水位計の方式を示す水位計コードと、を含み、前記設定方法は、前記受水槽コードと前記水位計コードとを設定する第１工程を有し、前記第１工程は、前記表示ステップで、前記表示操作器に、選択可能な前記受水槽コードと選択可能な前記水位計コードとを組み合わせて模した複数のグラフィックが表示され、前記入力ステップで、操作者が前記複数のグラフィックの中から該当するグラフィックを選択し、前記設定ステップで、前記ポンプ装置に前記選択されたグラフィックに対応する前記受水槽コードと前記水位計コードとが設定される。
【０１８７】
［形態２３］形態２３によれば、形態１９または２０において、前記ポンプ装置は前記水槽が受水槽である受水槽方式の給水装置であって、前記水槽方式は、受水槽の数を示す受水槽コードと、水位計の方式を示す水位計コードと、を含み、前記設定方法は、前記水位計コードを設定する第１工程と、前記受水槽コードを設定する第２工程と、を有し、前記第１工程は、前記表示ステップで、前記表示操作器に、選択可能な前記水位計コードを模した複数のグラフィックが表示され、前記入力ステップで、操作者が前記複数のグラフィックの中から該当するグラフィックを選択し、前記設定ステップで、前記ポンプ装置に選択されたグラフィックに対応する水位計コードが設定され、前記第２工程は、前記表示ステップで、前記表示操作器に前記第１工程にて設定された前記水位計コードに基づいた選択可能な前記受水槽コードを模した複数のグラフィックが表示され、前記入力ステップで、操作者が前記グラフィックの中から該当するグラフィックを選択し、前記設定ステップで、前記ポンプ装置に前記選択されたグラフィックに対応する前記受水槽コードが設定される。
【０１８８】
［形態２４］形態２４によれば、形態１９または２０において、前記ポンプ装置は前記水槽が高置水槽である高置水槽方式の給水装置であって、前記水槽方式は、水位計の方式を示す水位計コードを含み、前記表示ステップで、前記表示操作器に、選択可能な前記水位計コードを模した複数のグラフィックが表示され、前記入力ステップで、操作者が前記グラフィックの中から該当するグラフィックを選択し、前記設定ステップで、前記ポンプ装置に前記選択されたグラフィックに対応する水位計コードが設定される。
【０１８９】
［形態２５］形態２５によれば、形態１９または２０において、前記ポンプ装置は前記水槽がポンプを収容する浄化槽である浄化槽方式のポンプ装置であって、前記水槽方式は、
前記浄化槽内に設置されるポンプの台数を示すポンプ台数コードを含み、前記表示ステップで、選択可能な前記ポンプ台数コードを模した複数のグラフィックを表示し、前記入力ステップで、選択されたグラフィックに対応する前記ポンプ台数コードを設定する。
【０１９０】
［形態２６］形態２６によれば、形態１９から２５において、前記設定方法は、特定の権限を有する者に対してのみ、前記表示操作器に、前記ポンプ装置における前記水槽方式を設定または変更するための水槽方式選択ボタンが表示されることを含み、前記水槽方式選択ボタンが押下されることによって前記表示ステップが開始される。これにより、権限を有さない者が誤って水槽方式を設定変更することを防ぐことができる。
【０１９１】
［形態２７］形態２７によれば、形態１９から２６において、前記設定方法は、前記表示操作器に、前記設定ステップで前記ポンプ装置に設定された水槽方式がグラフィック表示されることを含む。形態２７によれば、ポンプ装置に設定された水槽方式を確認することができる。
【０１９２】
［形態２８］形態２８によれば、形態１９から２６において、前記設定方法は、前記設定ステップで前記ポンプ装置に水槽方式が設定された後に、前記ポンプ装置から前記設定された水槽方式を取得し、前記表示操作器に、前記取得した水槽方式がグラフィック表示されることを含む。形態２８によれば、ポンプ装置に実際に設定された水槽方式を確認することができる。
【０１９３】
［形態２９］形態２９によれば、形態１９から２８の何れか１つに記載の設定方法を実行可能な操作表示器を備えるポンプ装置が提案される。形態２９によれば、上記した設定方法と同様の効果を奏することができる。
【０１９４】
［形態３０］形態３０によれば、ポンプ装置と、形態１８から２８の何れか１つに記載の方法を実行可能な表示操作器と、を備えるポンプシステムが提案される。形態３０によれば、表示操作器を利用して上記した方法と同様の効果を奏することができる。
【０１９５】
以上、本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその均等物が含まれることはもちろんである。また、上述した課題の少なくとも一部を解決できる範囲、または、効果の少なくとも一部を奏する範囲において、特許請求の範囲および明細書に記載された各構成要素の任意の組み合わせ、または、省略が可能である。
【符号の説明】
【０１９６】
１０…給水装置
２０…ポンプ
２１…モータ
２２…インバータ
２３…逆止弁
２４…フロースイッチ
２６…圧力センサ
２８…圧力タンク
４０…制御部
４１…記憶部
４２…演算部
４４…運転パネル（表示操作器）
４５…設定部
４６…表示部
４７…Ｉ／Ｏ部
４８…通信部
８０…外部表示器（表示操作器）
８０Ａ…表示操作部
８６…水位グラフィック
８７…水位文字情報部
１１０Ａ、１１０Ｂ…受水槽
１２０Ａ…電極式レベルスイッチ（水位計）
１２０Ｂ…電極式レベルスイッチ（水位計）
１２１〜１２５…電極棒
１３２Ａ、１３２Ｂ…市水流入弁（市水流入弁）
１１２０、１１２０Ａ、３１２０、５１２０…水槽方式グラフィック部
１１２０ａ〜１１２０ｊ…水槽方式グラフィック群
１１２１〜１１２５…グラフィック
１１２８、３１２８…水位レベル表示部（水位レベルグラフィック）
１１３０…制御動作矢印部
１１４０、２２４０、３１４０、５１４０…文字情報部
１１７０…受水槽方式選択ボタン（水槽方式選択ボタン）
１１８０…異常表示部
２１２８、５１２８…水位レベルグラフィック部
【要約】
【課題】ポンプ装置の搬送液を貯水する水槽の状態、又は電気配線を容易に確認することができる方法等を提案する。
【解決手段】水槽の状態を表示するための表示方法であって、前記水槽は、ポンプの搬送液を貯水し、当該水槽の水槽方式と水位とに基づいた水槽水位制御が前記ポンプを備えたポンプ装置によって行われ、前記表示方法は、前記水槽方式を取得するステップと、前記水槽の水位を取得するステップと、を有し、前記取得した前記水槽方式を模した水槽方式グラフィックと、前記取得した前記水槽の水位を示すための水位表示と、を併せて表示する。
【選択図】図３【図１Ａ】
0006674582.tif 000002
【図１Ｂ】
0006674582.tif 000003
【図１Ｃ】
0006674582.tif 000004
【図１Ｄ】
0006674582.tif 000005
【図２】
0006674582.tif 000006
【図２Ａ】
0006674582.tif 000007
【図３】
0006674582.tif 000008
【図４】
0006674582.tif 000009
【図５】
0006674582.tif 000010
【図６】
0006674582.tif 000011
【図７】
0006674582.tif 000012
【図８】
0006674582.tif 000013
【図９】
0006674582.tif 000014
【図９Ａ】
0006674582.tif 000015
【図９Ｂ】
0006674582.tif 000016
【図９Ｃ】
0006674582.tif 000017
【図１０Ａ】
0006674582.tif 000018
【図１０Ｂ】
0006674582.tif 000019
【図１０Ｃ】
0006674582.tif 000020
【図１０Ｄ】
0006674582.tif 000021
【図１１】
0006674582.tif 000022
【図１２Ａ】
0006674582.tif 000023
【図１２Ｂ】
0006674582.tif 000024
【図１３】
0006674582.tif 000025
【図１４】
0006674582.tif 000026
【図１５】
0006674582.tif 000027
【図１６】
0006674582.tif 000028
【図１７】
0006674582.tif 000029
【図１８】
0006674582.tif 000030
【図１９】
0006674582.tif 000031
【図２０】
0006674582.tif 000032
【図２１】
0006674582.tif 000033
【図２２】
0006674582.tif 000034